(57)【要約】      （修正有）【課題】吸収能力、及び着用者の肌が長期間にわたり湿潤状態に曝されることによって生じる問題を解決する吸収体物品の提供。【解決手段】シート状の防漏体（１０）と、防漏体（１０）の上部に少なくとも一層配置された体液を吸収しうる吸収体（１２）とを有する吸収体物品（１）と、側縁から吸収体（１２）の上方に向かって起立する一対の外部側面シート（１６）と、外部側面シート（１６）の頂点付近に前記外部側面シート（１６）が結合する左右一対の伸縮性頭部（１８）を有する起立性サイドガード（２０）と、吸収体物品（１）の少なくとも前身頃の後方の一部から、股下部を経て、後身頃の前方の一部に亘り配置され、起立性サイドガード（２０）に連結されて、左右一対の伸縮性頭部（１８）から吸収体（１２）の表面に向かってハンモック状に垂下し、その内面により体液受容キャナル（Ｃａ）を形成するキャナルシート（２２）を具備する吸収体物品（１）。【選択図】図１
2014166227.tif 000002
【特許請求の範囲】
【請求項１】
シート状の防漏体と、前記防漏体の上部に少なくとも一層配置された体液を吸収しうる吸収体とを有する吸収体物品本体と、
前記吸収体物品本体の前端部から後端部にわたって配置され、前端、後端及び側縁が前記吸収体物品本体に固定され、前記側縁の固定された位置から前記吸収体の上方に向かって起立する左右一対の外部側面シートと、起立した前記外部側面シートの頂点付近において、左右一対の前記外部側面シートがそれぞれ結合する左右一対の伸縮性頭部とを有する、起立性サイドガードと、
前記吸収体物品本体の少なくとも前身頃の後方の一部から、股下部を経て、後身頃の前方の一部にわたって配置され、前記起立性サイドガードに連結されて、前記左右一対の伸縮性頭部から前記吸収体の表面に向かってハンモック状に垂下し、その内面により体液受容キャナルを形成する、キャナルシートと
を具備する、吸収体物品。
【請求項２】
シート状の防漏体と、前記防漏体の上部に少なくとも一層配置された体液を吸収しうる吸収体とを有する吸収体物品本体と、
前記吸収体物品本体の前端部から後端部にわたって配置され、前端、後端及び側縁が前記吸収体物品本体に固定され、前記側縁の固定された位置から前記吸収体の上方に向かって起立する左右一対の外部側面シートを有する、起立性サイドガードと、
前記吸収体物品本体の少なくとも前身頃の後方の一部から、股下部を経て、後身頃の前方の一部にわたって配置される、左右一対の伸縮性頭部と、前記左右一対の伸縮性頭部と結合し、前記左右一対の伸縮性頭部から前記吸収体の表面に向かってハンモック状に垂下し、その内面により体液受容キャナルを形成する、キャナルシートとを有する、キャナル部材と
を具備し、
前記起立性サイドガードの内側と前記キャナルシートとが連結する部分を有する、吸収体物品。
【請求項３】
前記起立性サイドガードが、前記左右一対の外部側面シートがそれぞれ結合する、左右一対の第２伸縮性頭部を更に有する、請求項２に記載の吸収体物品。
【請求項４】
前記キャナルシートが、前記吸収体物品本体の前端部から前身頃、股下部及び後身頃を経て後端部にわたって配置され、前記吸収体物品本体の前記前端部及び前記後端部と結合している、請求項１〜３のいずれかに記載の吸収体物品。
【請求項５】
前記体液受容キャナルが、前記伸縮性頭部間に存在する頭部開口を有する、請求項１〜４のいずれかに記載の吸収体物品。
【請求項６】
前記左右一対の伸縮性頭部間の内側の間隔ｗが、前身頃及び後身頃において、股下部よりも広くなっている、請求項５に記載の吸収体物品。
【請求項７】
前記間隔ｗが、股下部において１００ｍｍ以下である、請求項６に記載の吸収体物品。
【請求項８】
前記体液受容キャナルの底面を構成する前記キャナルシートの下面の一部と前記吸収体の表面とが結合したキャナル接合部を有する、請求項１〜７のいずれかに記載の吸収体物品。
【請求項９】
前記キャナル接合部の長さが、キャナルシートの全長に対して５０％以上である、請求項８に記載の吸収体物品。
【請求項１０】
前記体液受容キャナルを構成する前記キャナルシートに、着用者から排出された体液を前記吸収体に移行させるための出口が設けられている、請求項１〜９のいずれかに記載の吸収体物品。
【請求項１１】
前記起立性サイドガードの外部側面シートが第１の不織布により構成され、前記第１の不織布が前記起立性サイドガードの伸縮性頭部を被覆し、
前記キャナルシートが、第２の不織布により構成され、
前記第１の不織布と前記第２の不織布とが互いの側縁付近において結合されている、請求項１に記載の吸収体物品。
【請求項１２】
前記起立性サイドガードの外部側面シートが第１の不織布により構成され、
前記キャナルシートが、第２の不織布により構成され、前記第２の不織布が前記左右一対の伸縮性頭部を被覆し、
前記第１の不織布と前記第２の不織布とが互いの側縁付近において結合されている、請求項２に記載の吸収体物品。
【請求項１３】
前記第１の不織布と前記第２の不織布とが、それぞれの前端から前身頃にかかる部分及び後端から後身頃にかかる部分において互いに結合し、かつ、前身頃の股下部付近から股下部を経て後身頃の股下部付近にかけての部分において互いに結合していない、請求項１２に記載の吸収体物品。
【請求項１４】
前記起立性サイドガードの外部側面シートが第１の不織布により構成され、前記第１の不織布が前記第２伸縮性頭部を被覆し、
前記キャナルシートが、第２の不織布により構成され、前記第２の不織布が前記伸縮性頭部を被覆し、かつ、前記第２の不織布の外側が前記第１の不織布に重なって延在し、
前記第１の不織布と前記第２の不織布とが、それぞれの前端から前身頃にかかる部分及び後端から後身頃にかかる部分において互いに結合し、かつ、前身頃の股下部付近から股下部を経て後身頃の股下部付近にかけての部分において互いに結合していない、請求項３に記載の吸収体物品。
【請求項１５】
前記第１の不織布と前記第２の不織布との種類が同一である、請求項１１〜１４のいずれかに記載の吸収体物品。
【請求項１６】
前記第１の不織布と前記第２の不織布との種類が異なっている、請求項１１〜１４のいずれかに記載の吸収体物品。
【請求項１７】
前記第１の不織布が疎水性であり、前記第２の不織布が親水性である、請求項１６に記載の吸収体物品。
【請求項１８】
前記左右一対の外部側面シートが、それぞれ少なくとも一つの側面開口を有し、前記体液受容キャナルから、前記外部側面シートより外側に溢流した体液を、前記側面開口を通じて前記外部側面シートの内側に移動させることができる、請求項１〜１５のいずれかに記載の吸収体物品。
【請求項１９】
前記少なくとも一つの側面開口が、前後方向に延在する複数のスリットである、請求項１８に記載の吸収体物品。
【請求項２０】
前記少なくとも一つの側面開口が、前後方向に延在する１本のスリットである、請求項１８に記載の吸収体物品。
【請求項２１】
前記少なくとも一つの側面開口が、前後方向に延在する１本の切欠きである、請求項１８に記載の吸収体物品。
【請求項２２】
前記少なくとも一つの側面開口の前後方向の長さの合計が、前記外部側面シートの前後方向の長さの４分の１以上である、請求項１９〜２１のいずれかに記載の吸収体物品。
【請求項２３】
前記キャナルシートの前端部と前記左右一対の外部側面シートとにより、前記左右一対の外部側面シートの内側に存在する体液の前方への溢流を防止する前部ポケットが構成されている、請求項１〜２２のいずれかに記載の吸収体物品。
【請求項２４】
前記キャナルシートの後端部と前記左右一対の外部側面シートとにより、前記左右一対の外部側面シートの内側に存在する体液の後方への溢流を防止する後部ポケットが構成されている、請求項１〜２３のいずれかに記載の吸収体物品。
【請求項２５】
前記キャナルシートが少なくとも一部において液透過性であり、
更に、前記キャナルシートの下側に、前後方向に延在し、両縁部が前記キャナルシートに結合し、その内面により体液の通路を形成する、通路シートを具備する、請求項１〜２４のいずれかに記載の吸収体物品。
【請求項２６】
前記通路シートが液不透過性である、請求項２５に記載の吸収体物品。
【請求項２７】
前記通路シートに、外部に体液を排出するための外部排出コネクターを有する、請求項２５又は２６に記載の吸収体物品。
【発明の詳細な説明】
【技術分野】
【０００１】
本発明は、体液受容キャナルを持つ吸収体物品に関する。
【背景技術】
【０００２】
紙おむつ（Ｄｉｓｐｏｓａｂｌｅ  Ｄｉａｐｅｒ）（子供用及び大人用）、生理用ナプキン、失禁用品、トレーニングパンツ等の吸収体物品は、高吸水性樹脂（Ｓｕｐｅｒ  Ａｂｓｏｒｂｅｎｔ  Ｐｏｌｙｍｅｒ、以下「ＳＡＰ」ともいう。）やフラッフ状パルプ等を用いた吸収体により、着用者から排出された尿等の体液を吸収する物品である。
従来の吸収体物品においては、排出された体液は、排出器から直接に吸収体の表面上に排出され、吸収体の表面における拡散と、吸収体の表面から吸収体の内部への移行とにより、吸収体に吸収され、固定される。したがって、吸収体物品から外部への体液のリーク（漏れ）を防ぐためには、吸収体物品を着用者の身体に間隙が生じないように密着させ、かつ、吸収体の表面と着用者の肌、特に排出器とを密着させることが必要である。
【０００３】
このような従来の吸収体物品を、吸収体物品の持つ吸収能力を最大限に生かして、効率良く使用するには、１回の体液の排泄のたびに吸収体物品を交換するのではなく、体液が１回排出されても交換せずに、２回目以降の体液の排泄まで使用を続ける複数回使用が必要となる。
しかしながら、複数回使用の場合は、着用者は、必然的に、長時間にわたって、体液で濡れている吸収体の表面と肌とを密着させた状態で維持しなければならなくなる。このような長時間にわたって着用者の肌に体液が接触する状態は、着用者にとって不快であるだけでなく、皮膚を膨化させ、細菌増殖の原因となり、かぶれや炎症を引き起こすことになる。
【０００４】
このような従来の吸収体物品の使用に伴う問題点の改善のために、通気性を持つバックシートの使用、開口や畝状構造を持たせて肌との接触面積を少なくした表面シートの改良等の努力がなされてきたが、結局は吸収能力にまだ十分余力が残っていても、吸収体の表面が濡れる状態を感知して、新たな吸収体物品と交換することで皮膚トラブルの発生を回避しているのが実情である。例えば、子供用おむつでは、平均的に吸収能力の４０％程度しか利用されていないといわれている。
【発明の概要】
【発明が解決しようとする課題】
【０００５】
本発明者は、省資源・省エネルギーが時代の要請である現在、吸収体物品の効率的な使用と、体液と皮膚との長時間の接触により生じる問題の発生防止とを両立することができる吸収体物品の開発について、検討した。
本発明者は、まず、問題の所在を明らかにするために、あらためて吸収体物品とはどのようなものであるかを、紙おむつを例に具体的な解析を行った。
【０００６】
図２２は、紙おむつのライフサイクルの説明図である。
紙おむつのライフサイクルとは、着用者が、未使用の紙おむつを装着し、体液（尿）の受容、体液の分配、体液の吸収・固定からなる使用サイクルを繰り返して多数回使用し（図２２では３回）、使用済みとして脱着し、廃棄するまでの一連の工程を包含するものである。
本発明者は、この紙おむつのライフサイクルについて検討し、多数回の繰り返し使用を可能にし、効率性と快適性を両立させるためには、以下のような課題があることを見出した。
【０００７】
（Ａ）吸収能力についての課題
（ａ１）従来の紙おむつのほとんどが、理論値として、標準的な尿量を３回分吸収することができる吸収能力を有しているが、吸収体の一部分が集中的に尿の吸収を行うため、理論上の吸収能力に達するより早く、尿漏れの限界に達してしまう。
（ａ２）従来の紙おむつでは、着用体位によって吸収体の利用部位の偏りが大きくなる。
（ａ３）従来の紙おむつでは、特に、クロッチ部分（股下部）の形状と吸収能力に起因するトラブルが多い。これは、クロッチ部分が局部に近接する部分であること、クロッチ部分が幅が最も狭くなる部分であること、及び、クロッチ部分に隙間を発生させないように着用者の身体に密着させるために、絶えずフレキシブルに変形することを求められる部分であることに起因するものと推測された。
これらの解決策として、従来、レッグギャザー機能を強化し、横漏れ防止能力を高めるため、レッグギャザーを二重又は三重に設けることが提案されてきた。
しかしながら、クロッチ部分に隙間を発生させないように着用者の身体に密着させ、かつ、レッグギャザーで横漏れを防止するためには、レッグギャザーの頭部を、吸収体の左右の両側面の外側において、着用者の大腿部の内側から大腿部の付け根（鼠蹊部）にかかる領域に位置させることになり、レッグギャザー間に存在する吸収体が着用者のクロッチ部に広い領域にわたり密着することになる。そうすると、以下に述べる、着用者の肌が長期間にわたり湿潤状態に曝されることによって生じる課題が大きな問題となる。
【０００８】
（Ｂ）着用者の肌が長期間にわたり湿潤状態に曝されることによって生じる課題
（ｂ１）かぶれの発生は当然のこと、かぶれが潜在化している状態をも回避することができる対策が必要である。
（ｂ２）吸収体が吸収能力の限界まで尿を吸収し、それにより吸収体の表面の湿潤の程度が強くなっても、なお肌が濡れない工夫が必要である。つまり、従来のドライ対応のトップシートでは解決不能なレベルの表面戻り液量の発生に対する対策が必要である。
（ｂ３）吸収体の表面が湿潤状態となった場合において、着用者の肌との間で、摩擦力が発生するようなケースを回避することができる対策が必要である。
【０００９】
これらの対策として、従来、トップシート（表面シート）の上方に更に第２のトップシートともいうべきスキンコンタクトシートを設けて、トップシートとスキンコンタクトシートとの間に空隙を発生させて、吸収体面からの戻り体液と肌との接触を防止することが試みられている。これは、スキンコンタクトシートに体液の受容と吸収体の表面への移送の機能の役割を持たせるものである。
例えば、特開平３−２３４２５７号公報においては、全面が液透過性の上面シートを設けることが提案されている。
また、本発明者らは、特開２００２−１４３２１７号公報及び特開２００２−２０４８１１号公報において、尿用及び便用の開口を持つスキンコンタクトシートを設けて、肌への接触状態で排出される体液の吸収体面への透過を確実化することを提案している。
【００１０】
しかしながら、本発明者の検討したところによると、これらのスキンコンタクトシート類の問題は、以下の各点にある。
（１）トップシートの代わりにスキンコンタクトシートの全面が着用者の肌に密着することになり、肌面の体液による濡れが回避できない。
（２）スキンコンタクトシートと肌とは常に接触しているので、スキンコンタクトシートと肌面との摩擦状態を回避できない。
【００１１】
そこで、本発明は、このような吸収能力についての課題及び着用者の肌が長期間にわたり湿潤状態に曝されることによって生じる課題を解決することができる吸収体物品を提供することを目的とする。
【課題を解決するための手段】
【００１２】
本発明者は、これらの課題を見出した上、更に鋭意研究した結果、吸収体（特に、クロッチ部位）に体液を直接移行させずに、体位に関係なく、前後に体液の移行及び分配をすることができる構成ユニットを新たに導入することにより、吸収体の全体をできるだけ均等に使用して吸収能力を十分に発揮することができること（上記（ａ１）の解消）、着用体位による体液の偏りの影響を少なくすることができること（上記（ａ２）の解消）、及び、吸収体の前部付近及び後部付近をより効率的に利用してクロッチ部位への体液の流入を遅延させることができること（上記（ａ３）の解消）を見出し、更に、上記構成ユニットとして、吸収体の表面と着用者の肌との間に、排出される体液の全量を受容し、一時的に貯留できる構造体を設けること、吸収体の表面と着用者の肌とが常に非接触状態を保つようにすることができ、かぶれやその潜在化状態の回避（上記（ｂ１）の実現）、吸収体が吸収能力の限界まで尿を吸収した場合の肌濡れの回避（上記（ｂ２）の実現）、及び、（ｂ３）吸収体の表面と着用者の肌との間での摩擦力の発生の回避（上記（ｂ３）の実現）が可能であることを見出して、本発明を完成させた。
【００１３】
すなわち、本発明は、以下の（１）〜（２７）を提供する。
（１）シート状の防漏体と、前記防漏体の上部に少なくとも一層配置された体液を吸収しうる吸収体とを有する吸収体物品本体と、
前記吸収体物品本体の前端部から後端部にわたって配置され、前端、後端及び側縁が前記吸収体物品本体に固定され、前記側縁の固定された位置から前記吸収体の上方に向かって起立する左右一対の外部側面シートと、起立した前記外部側面シートの頂点付近において、左右一対の前記外部側面シートがそれぞれ結合する左右一対の伸縮性頭部とを有する、起立性サイドガードと、
前記吸収体物品本体の少なくとも前身頃の後方の一部から、股下部を経て、後身頃の前方の一部にわたって配置され、前記起立性サイドガードに連結されて、前記左右一対の伸縮性頭部から前記吸収体の表面に向かってハンモック状に垂下し、その内面により体液受容キャナルを形成する、キャナルシートと
を具備する、吸収体物品（本発明の第１の態様）。
（２）シート状の防漏体と、前記防漏体の上部に少なくとも一層配置された体液を吸収しうる吸収体とを有する吸収体物品本体と、
前記吸収体物品本体の前端部から後端部にわたって配置され、前端、後端及び側縁が前記吸収体物品本体に固定され、前記側縁の固定された位置から前記吸収体の上方に向かって起立する左右一対の外部側面シートを有する、起立性サイドガードと、
前記吸収体物品本体の少なくとも前身頃の後方の一部から、股下部を経て、後身頃の前方の一部にわたって配置される、左右一対の伸縮性頭部と、前記左右一対の伸縮性頭部と結合し、前記左右一対の伸縮性頭部から前記吸収体の表面に向かってハンモック状に垂下し、その内面により体液受容キャナルを形成する、キャナルシートとを有する、キャナル部材と
を具備し、
前記起立性サイドガードの内側と前記キャナルシートとが連結する部分を有する、吸収体物品（本発明の第２の態様）。
（３）前記起立性サイドガードが、前記左右一対の外部側面シートがそれぞれ結合する、左右一対の第２伸縮性頭部を更に有する、上記（２）に記載の吸収体物品（本発明の第３の態様）。
（４）前記キャナルシートが、前記吸収体物品本体の前端部から前身頃、股下部及び後身頃を経て後端部にわたって配置され、前記吸収体物品本体の前記前端部及び前記後端部と結合している、上記（１）〜（３）のいずれかに記載の吸収体物品。
（５）前記体液受容キャナルが、前記伸縮性頭部間に存在する頭部開口を有する、上記（１）〜（４）のいずれかに記載の吸収体物品。
（６）前記左右一対の伸縮性頭部間の内側の間隔ｗが、前身頃及び後身頃において、股下部よりも広くなっている、上記（５）に記載の吸収体物品。
（７）前記間隔ｗが、股下部において１００ｍｍ以下である、上記（６）に記載の吸収体物品。
（８）前記体液受容キャナルの底面を構成する前記キャナルシートの下面の一部と前記吸収体の表面とが結合したキャナル接合部を有する、上記（１）〜（７）のいずれかに記載の吸収体物品。
（９）前記キャナル接合部の長さが、キャナルシートの全長に対して５０％以上である、上記（８）に記載の吸収体物品。
（１０）前記体液受容キャナルを構成する前記キャナルシートに、着用者から排出された体液を前記吸収体に移行させるための出口が設けられている、上記（１）〜（９）のいずれかに記載の吸収体物品。
（１１）前記起立性サイドガードの外部側面シートが第１の不織布により構成され、前記第１の不織布が前記起立性サイドガードの伸縮性頭部を被覆し、
前記キャナルシートが、第２の不織布により構成され、
前記第１の不織布と前記第２の不織布とが互いの側縁付近において結合されている、上記（１）に記載の吸収体物品。
（１２）前記起立性サイドガードの外部側面シートが第１の不織布により構成され、
前記キャナルシートが、第２の不織布により構成され、前記第２の不織布が前記左右一対の伸縮性頭部を被覆し、
前記第１の不織布と前記第２の不織布とが互いの側縁付近において結合されている、上記（２）に記載の吸収体物品。
（１３）前記第１の不織布と前記第２の不織布とが、それぞれの前端から前身頃にかかる部分及び後端から後身頃にかかる部分において互いに結合し、かつ、前身頃の股下部付近から股下部を経て後身頃の股下部付近にかけての部分において互いに結合していない、上記（１２）に記載の吸収体物品。
（１４）前記起立性サイドガードの外部側面シートが第１の不織布により構成され、前記第１の不織布が前記第２伸縮性頭部を被覆し、
前記キャナルシートが、第２の不織布により構成され、前記第２の不織布が前記伸縮性頭部を被覆し、かつ、前記第２の不織布の外側が前記第１の不織布に重なって延在し、
前記第１の不織布と前記第２の不織布とが、それぞれの前端から前身頃にかかる部分及び後端から後身頃にかかる部分において互いに結合し、かつ、前身頃の股下部付近から股下部を経て後身頃の股下部付近にかけての部分において互いに結合していない、上記（３）に記載の吸収体物品。
（１５）前記第１の不織布と前記第２の不織布との種類が同一である、上記（１１）〜（１４）のいずれかに記載の吸収体物品。
（１６）前記第１の不織布と前記第２の不織布との種類が異なっている、上記（１１）〜（１４）のいずれかに記載の吸収体物品。
（１７）前記第１の不織布が疎水性であり、前記第２の不織布が親水性である、上記（１６）に記載の吸収体物品。
（１８）前記左右一対の外部側面シートが、それぞれ少なくとも一つの側面開口を有し、前記体液受容キャナルから、前記外部側面シートより外側に溢流した体液を、前記側面開口を通じて前記外部側面シートの内側に移動させることができる、上記（１）〜（１７）のいずれかに記載の吸収体物品。
（１９）前記少なくとも一つの側面開口が、前後方向に延在する複数のスリットである、上記（１８）に記載の吸収体物品。
（２０）前記少なくとも一つの側面開口が、前後方向に延在する１本のスリットである、上記（１８）に記載の吸収体物品。
（２１）前記少なくとも一つの側面開口が、前後方向に延在する１本の切欠きである、上記（１８）に記載の吸収体物品。
（２２）前記少なくとも一つの側面開口の前後方向の長さの合計が、前記外部側面シートの前後方向の長さの４分の１以上である、上記（１９）〜（２１）のいずれかに記載の吸収体物品。
（２３）前記キャナルシートの前端部と前記左右一対の外部側面シートとにより、前記左右一対の外部側面シートの内側に存在する体液の前方への溢流を防止する前部ポケットが構成されている、上記（１）〜（２２）のいずれかに記載の吸収体物品。
（２４）前記キャナルシートの後端部と前記左右一対の外部側面シートとにより、前記左右一対の外部側面シートの内側に存在する体液の後方への溢流を防止する後部ポケットが構成されている、上記（１）〜（２３）のいずれかに記載の吸収体物品。
（２５）前記キャナルシートが少なくとも一部において液透過性であり、
更に、前記キャナルシートの下側に、前後方向に延在し、両縁部が前記キャナルシートに結合し、その内面により体液の通路を形成する、通路シートを具備する、上記（１）〜（２４）のいずれかに記載の吸収体物品。
（２６）前記通路シートが液不透過性である、上記（１）〜（２５）に記載の吸収体物品。
（２７）前記通路シートに、外部に体液を排出するための外部排出コネクターを有する、上記（２５）又は（２６）に記載の吸収体物品。
【発明の効果】
【００１４】
本発明の吸収体物品は、吸収体の吸収能力を十分に発揮することができ、また、着用者の肌が長期間にわたり湿潤状態に曝されることがなく、かぶれの発生等の問題が抑制されている。
【図面の簡単な説明】
【００１５】
【図１】本発明の吸収体物品の例を示す模式的な横端面図である。
【図２】本発明の吸収体物品の例を示す模式的な横端面図である。
【図３】本発明の吸収体物品の例を示す模式的な横端面図である。
【図４】本発明の吸収体物品の例を示す模式的な横端面図である。
【図５】本発明の吸収体物品の例を示す模式的な横端面図である。
【図６】本発明の吸収体物品の例を示す模式的な横端面図である。
【図７】本発明の吸収体物品の例を示す模式的な横端面図である。
【図８】本発明の吸収体物品の例を示す模式的な横端面図である。
【図９】本発明の吸収体物品の例を示す模式的な横端面図である。
【図１０】吸収体物品本体に配置された、起立性サイドガード及びキャナルシート等の例の模式的な平面図である。
【図１１】吸収体物品本体に配置された、起立性サイドガード及びキャナルシート等の例の模式的な平面図である。
【図１２】吸収体物品本体に配置された、起立性サイドガード及びキャナルシート等の例の模式的な平面図である。
【図１３】体液受容キャナルの垂下状態の説明図である。
【図１４】本発明の吸収体物品の実施態様の例を示す模式図である。
【図１５】本発明の吸収体物品の実施態様の例を示す模式図である。
【図１６】本発明の吸収体物品の実施態様の例を示す模式図である。
【図１７】本発明の吸収体物品の実施態様の別の例を示す模式図である。
【図１８】本発明の吸収体物品の実施態様の更に別の例を示す模式図である。
【図１９】本発明の吸収体物品の実施態様の更に別の例を示す模式図である。
【図２０】本発明の吸収体物品の実施態様の更に別の例を示す模式図である。
【図２１】本発明の吸収体物品の実施態様の更に別の例を示す模式図である。
【図２２】紙おむつのライフサイクルの説明図である。
【発明を実施するための形態】
【００１６】
以下、本発明の吸収体物品を添付図面に示す好適実施形態に基づいて詳細に説明する。なお、本明細書においては、本発明の吸収体物品を実際に着用した場合に、着用者の肌に近い側を「上」といい、遠い側を「下」という。また、本発明の吸収体物品を実際に着用した場合に、着用者の体の前側に対応する側を「前」といい、後側に対応する側を「後」という。また、各図中、理解を容易にするために、実際には接触している部材を離間させて示すことがある。添付した図面中の各平面図においては、図の左側に吸収体物品等の前側が位置するように図示してある。
また、本明細書においては、「吸収体物品本体」とは、吸収体物品の構成部材である防漏体、防漏体上に設けることができるトップシート、その他吸収体物品に設けることができる各種部材を総称していうものである。これに従い、吸収体物品がおむつである場合は、吸収体物品本体をおむつ本体と呼ぶ。
さらに、本明細書においては、「吸収体の表面」とは、吸収体が露出している場合は、その表面を意味し、吸収体が拡散シート、アクイジションシート、トップシート（サーフェスシート）等で被覆されている場合は、被覆している拡散シート、アクイジションシート、トップシート（サーフェスシート）等の表面を意味する。
【００１７】
本明細書においては、図１〜図１３を用いて、主に本発明のコンセプトを説明し、図１４〜図２１を用いて、本発明の吸収体物品の具体的な実施態様について説明することとする。
【００１８】
図１〜図９は、いずれも、本発明の吸収体物品の例を示す模式的な横端面図である。このうち、図１〜図４には、それぞれ、外部側面シートと伸縮性頭部とを有する起立性サイドガードと、前記伸縮性頭部から垂下して体液受容キャナルを形成するキャナルシートとを具備する吸収体物品（本発明の第１の態様）が示され、図５及び図６には、それぞれ、外部側面シートを有する起立性サイドガードと、伸縮性頭部と前記伸縮性頭部から垂下して体液受容キャナルを形成するキャナルシートとを有するキャナル部材とを具備する吸収体物品（本発明の第２の態様）が示され、図７には、本発明の第２の態様の吸収体物品であって、外部側面シートが第２伸縮性頭部を更に有する吸収体物品（本発明の第３の態様）が示され、図８及び図９には、それぞれ、更に通路シートを有する吸収体物品が示されている。
【００１９】
これを吸収体物品の構成部材の観点から分類すると、図１〜図３に示される吸収体物品は、いずれも、外部側面シートとキャナルシートとが同一の部材（具体的には、不織布）である吸収体物品であり、図４〜図７に示される吸収体物品は、いずれも、第１の不織布Ｐにより構成される外部側面シートと第２の不織布Ｑにより構成されるキャナルシートとが２種類の部材（具体的には、２種類の不織布）である吸収体物品であり、図８及び図９に示される吸収体物品は、いずれも、更に通路シートが付加された吸収体物品であるということができる。
【００２０】
図１〜図４に示される吸収体物品は、いずれも、シート状の防漏体と、前記防漏体の上部に少なくとも一層配置された体液を吸収しうる吸収体（トップシートで被覆された吸収体）とを有する吸収体物品本体と、外部側面シートと伸縮性頭部とを有する起立性サイドガードと、前記伸縮性頭部から垂下して体液受容キャナルを形成するキャナルシートとを具備する。
図５及び図６に示される吸収体物品は、いずれも、シート状の防漏体と、前記防漏体の上部に少なくとも一層配置された体液を吸収しうる吸収体（トップシートで被覆された吸収体）とを有する吸収体物品本体と、外部側面シートを有する起立性サイドガードと、伸縮性頭部と前記伸縮性頭部から垂下して体液受容キャナルを形成するキャナルシートとを有するキャナル部材とを具備する。
図７に示される吸収体物品は、図５及び図６に示される吸収体物品と同様の構成に加え、外部側面シートが第２伸縮性頭部を更に有する。
図８及び図９に示される吸収体物品は、更に、通路シートを有する。
【００２１】
図１〜図９に示される吸収体物品は、いずれも、例えば、外部側面シートとして、吸収体物品本体の左右側縁に側縁接合部で接合された不織布（例えば、ＰＰ繊維製のＳＭＳ不織布（例えば、目付量１５ｇ／ｍ2））を有し、伸縮性頭部として、伸縮性部材（例えば、ポリウレタン製フィラメント）を、外部側面シート又はキャナルシートを構成する不織布で被覆したものを有し、更に、キャナルシートとして、左右一対の伸縮性頭部から前記吸収体の表面に向かってハンモック状に垂下し、その内面により体液受容キャナルを形成する不織布を有している。
外部側面シートを構成する不織布とキャナルシートを構成する不織布とは、種類が同一であってもよく、種類が異なっていてもよい。
【００２２】
本発明の吸収体物品における体液受容キャナルを形成するキャナルシートの部分（以下「キャナル部」という。）は、基本的に、吸収体の表面から浮上している部位と、吸収体の表面に接合・固定された部位という、二つの部位を持っている。図１〜図９では、（Ａ）に浮上状態（Ｆｌｏａｔｉｎｇ  ｓｔａｔｅ）を、（Ｂ）に接合状態（Ｆｉｘｉｎｇ  ｓｔａｔｅ）を示している。
本発明の吸収体物品においては、浮上状態を示す部位を前身頃と後身頃に、接合状態を示す部位を、股下部及びその前後に位置させるのが好ましい。
【００２３】
ここで、体液受容キャナルを形成するキャナルシートの下側面（以下「キャナル底面部」という。）と、吸収体の表面との関係を示す「接合状態」及び「浮上状態」という用語について、説明する。
【００２４】
まず、「接合状態」とは、吸収体の表面及びキャナル底面部の両者が互いに物理的手段、化学的手段等によって結合している状態であって、それによって両者が互いに分離しないように一体化されているとともに、結合により前後方向、左右方向又は上下方向への相対的な可動性が制限されていることを意味する。具体的には、例えば、両者が、接着剤（例えば、ホットメルト接着剤）、融着等の手段で、点状、線状又は面状に結合されている状態や、両者が紐状又は帯状のもので係留されている状態を含む。
【００２５】
つぎに、「浮上状態」とは、吸収体の表面とキャナル底面部の両者が互いに結合していない状態であって、それによって両者が前後方向、左右方向又は上下方向への相対的な可動性が制限されていないことを意味する。具体的には、例えば、両者間に間隙となる空気層が存在するが、間隙が少なく、又は接触している状態や、間隙が大きく（例えば、１０ｍｍ以上）、完全に離間している状態を含む。
【００２６】
図１に示される吸収体物品１は、シート状の防漏体１０と、防漏体１０の上部に少なくとも一層配置された体液を吸収しうる吸収体１２とを有する吸収体物品本体１４と、吸収体物品本体１４の前端部から後端部にわたって配置され、前端、後端及び側縁が吸収体物品本体１４に固定され、前記側縁の固定された位置（側縁接合部８０）から吸収体１２の上方に向かって起立する左右一対の外部側面シート１６と、起立した外部側面シート１６の頂点付近において、左右一対の外部側面シート１６がそれぞれ結合する左右一対の伸縮性頭部１８とを有する、起立性サイドガード２０と、吸収体物品本体１４の少なくとも前身頃の後方の一部から、股下部を経て、後身頃の前方の一部にわたって配置され、起立性サイドガード２０に連結されて、左右一対の伸縮性頭部１８から吸収体１２の表面に向かってハンモック状に垂下し、その内面により体液受容キャナルＣａを形成する、キャナルシート２２とを具備する。
【００２７】
吸収体物品１は、キャナル部がＶ字型に類似した断面形状を有する。
図１（Ａ）は、浮上状態を示しており、キャナル底面部は、吸収体１２（より具体的には、トップシート２４で被覆された吸収体１２）の表面に結合していない。
図１（Ｂ）は、接合状態を示しており、キャナル底面部は、左右方向の中央に存在するキャナル接合部８２において、吸収体１２（より具体的には、トップシート２４で被覆された吸収体１２）の表面に結合している。
このように体液受容キャナルの底面を構成するキャナルシートの下面の一部と吸収体の表面とが結合したキャナル接合部を有するのは、本発明の好適な態様の一つである。
【００２８】
図２に示される吸収体物品１ａは、基本的に、図１に示される吸収体物品１と同様であるが、キャナルシート２２ａの断面形状が異なる。
図２に示される吸収体物品１ａは、キャナル部が底面が広いＵ字型に類似した断面形状を有する。
図２（Ａ）は、浮上状態を示しており、キャナル底面部は、吸収体１２（より具体的には、トップシート２４で被覆された吸収体１２）の表面に結合していない。
図２（Ｂ）は、接合状態を示しており、キャナル底面部は、左右方向の中央、左側及び右側の３箇所のキャナル接合部８２ａにおいて、吸収体１２（より具体的には、トップシート２４で被覆された吸収体１２）の表面に結合している。
【００２９】
図３に示される吸収体物品１ｂは、基本的に、図１に示される吸収体物品１と同様であるが、左右一対の起立性サイドガード２０ａの外部側面シート１６ａが、それぞれ側面開口Ｓｏを有している点で異なる。側面開口Ｓｏは、左右一対の外部側面シート１６ａのそれぞれにおいて、少なくとも一つあればよい。
この側面開口Ｓｏにより、体液受容キャナルＣａから、外部側面シート１６ａより外側に溢流した体液を、側面開口Ｓｏを通じて外部側面シート１６ａの内側に移動させることができる。例えば、本発明の吸収体物品１ｂの着用時に体液が体液受容キャナルＣａを溢流して左右一対の外部側面シート１６ａの外側表面を伝わってこぼれるような事態が生じても、溢流した体液はこの側面開口Ｓｏを通じて外側表面シート１６ａの外側から内側に移動して、吸収体１２の表面に戻って吸収されるので、外部に漏れることが防止される。
【００３０】
また、外部側面シート１６ａが側面開口Ｓｏを有すると、外部側面シート１６ａの側面開口Ｓｏが設けられた部分の上側部と下側部とが切り離されることになり、それによって本発明者らが提案した特許第５０８６４９２号公報に記載のＦＬＧ（フローティングレッグギャザー）と同様に、外部側面シート１６ａの吸収体物品本体１４への側縁端部における固定によって生ずる拘束を大幅に減少させることができ、キャナル部全体の移動自由度が高くなり、特に、伸縮性頭部１８の前後及び左右の可動範囲が高くなり、着用者の股下部（クロッチ部）に密着状態を維持することが容易になる。
【００３１】
側面開口は、前後方向に延在する複数のスリット、前後方向に延在する１本のスリット、又は前後方向に延在する１本の切欠きであるのが好ましい。
【００３２】
側面開口による上記効果を奏するためには、少なくとも一つの側面開口の前後方向の長さの合計が、外部側面シートの前後方向の長さの４分の１以上であるのが好ましく、３分の１以上であるのがより好ましい。
【００３３】
吸収体物品本体に対する起立性サイドガードの配置状態については、図１０〜図１２を用いて、側面開口の存在状態等については、図１４〜図２１を用いて、後述する。
【００３４】
図４〜図７に示される吸収体物品は、いずれも、外部側面シートを構成する第１の不織布Ｐとキャナルシートを構成する第２の不織布Ｑという２種類の不織布を組み合わせて用いている例である。例えば、第１の不織布Ｐとして、疎水性の不織布（例えば、ＰＰ繊維製のＳＭＳ不織布）を用い、第２の不織布Ｑとして、親水性の不織布（例えば、親水化処理を施したＰＥ／ＰＰ繊維製のＳＢ不織布）を用いる態様が好適に挙げられる。
【００３５】
図４に示される吸収体物品１ｃは、基本的に、図１に示される吸収体物品１と同様であるが、左右一対の起立性サイドガード２０ｂの外部側面シート１６ｂと、キャナルシート２２ｂとが異なる部材である点で異なる。
図４に示される吸収体物品１ｃは、左右の側縁接合部８０から立ち上がる、起立性サイドガード２０ｂの外部側面シート１６ｂを構成し、伸縮性頭部１８を被覆する第１の不織布Ｐと、第１の不織布Ｐの内側に内面接合部８４で結合され、ハンモック状に垂下した、キャナル部を形成するキャナルシート２２ｂを構成する第２の不織布Ｑとを有して構成されている例である。
この例においては、左右一対の外部側面シート１６ｂを構成する第１の不織布Ｐが左右方向で外側に、キャナルシート２２ｂを構成する第２の不織布Ｑが内側になるように配置され、両者は前後方向の全長にわたって互いの側縁付近において結合し一体化されている。
このように、起立性サイドガードの外部側面シートが第１の不織布により構成され、第１の不織布が起立性サイドガードの伸縮性頭部を被覆し、キャナルシートが、第２の不織布により構成され、第１の不織布と第２の不織布とが互いの側縁付近において結合されているのは、本発明の好適な態様の一つである。
図４（Ａ）は、浮上状態を示しており、キャナル底面部は、吸収体１２（トップシート２４で被覆された吸収体１２）の表面に結合していない。
図４（Ｂ）は、接合状態を示しており、キャナル底面部は、左右方向の中央に存在するキャナル接合部８２ｂにおいて、吸収体１２（トップシート２４で被覆された吸収体１２）の表面に結合している。
【００３６】
吸収体物品本体１４に対する起立性サイドガード２０ｂの配置状態については、図１１（Ａ）及び図１１（Ｂ）を用いて、後述する。
【００３７】
図５に示される吸収体物品１ｄは、シート状の防漏体１０と、防漏体１０の上部に少なくとも一層配置された体液を吸収しうる吸収体１２とを有する吸収体物品本体１４と、吸収体物品本体１４の前端部から後端部にわたって配置され、前端、後端及び側縁が吸収体物品本体１４に固定され、前記側縁の固定された位置から吸収体１２の上方に向かって起立する左右一対の外部側面シート１６ｃを有する、起立性サイドガード２０ｃと、吸収体物品本体１４の少なくとも前身頃の後方の一部から、股下部を経て、後身頃の前方の一部にわたって配置される、左右一対の伸縮性頭部１８と、左右一対の伸縮性頭部１８と結合し、左右一対の伸縮性頭部１８から吸収体１２の表面に向かってハンモック状に垂下し、その内面により体液受容キャナルＣａを形成する、キャナルシート２２ｃとを有する、キャナル部材２６とを具備し、起立性サイドガード２０ｃの内側とキャナルシート２２ｃとが連結する部分（接合部８６）を有する。
【００３８】
図５に示される吸収体物品１ｄは、左右の側縁接合部８０から立ち上がる外部側面シート１６ｃを構成する第１の不織布Ｐと、第１の不織布Ｐの内側に接合部で結合され、ハンモック状に垂下したキャナル部を形成し、伸縮性頭部１８を被覆し、外側に垂下するキャナルシート２２ｃを構成する第２の不織布Ｑとから構成されている例である。
この例においては、左右一対の外部側面シート１６ｃを構成する第１の不織布Ｐが左右方向で外側に、キャナルシート２２ｃを構成する第２の不織布Ｑの左右一対の垂下部２８が内側になり、かつ、両者が互いにオーバーラップするように配置され、さらに、両者は前後方向の全長にわたって互いの側縁付近において結合し一体化されている。この態様の吸収体物品１ｄは、図４に示される吸収体物品１ｃと比べ、第１の不織布Ｐと第２の不織布Ｑの配置状態の点では異なるが、機能的にはほぼ同じである。
このように、起立性サイドガードの外部側面シートが第１の不織布により構成され、キャナルシートが、第２の不織布により構成され、第２の不織布が前記左右一対の伸縮性頭部を被覆し、第１の不織布と第２の不織布とが互いの側縁付近において結合されているのは、本発明の好適な態様の一つである。中でも、第１の不織布と第２の不織布とが、それぞれの前端から前身頃にかかる部分及び後端から後身頃にかかる部分において互いに結合し、かつ、前身頃の股下部付近から股下部を経て後身頃の股下部付近にかけての部分において互いに結合していないのが好ましい。
図５（Ａ）は、浮上状態を示しており、キャナル底面部は、吸収体１２（より具体的には、トップシート２４で被覆された吸収体１２）の表面に結合していない。
図５（Ｂ）は、接合状態を示しており、キャナル底面部は、左右方向の中央に存在するキャナル接合部８２ｃにおいて、吸収体１２（より具体的には、トップシート２４で被覆された吸収体１２）の表面に結合している。
【００３９】
図６に示される吸収体物品１ｅは、基本的に、図５に示される吸収体物品１ｄと同様であるが、左右一対の起立性サイドガード２０ｄを構成する外部側面シート１６ｄと、キャナル部材２６ａのキャナルシート２２ｄの垂下部２８ａとが、互いに結合した部位と結合しない部位とを有し、結合していない部位では、図６に示されるように、間隙Ｇが存在している点で異なる。
外部側面シート１６ｄが第１の不織布Ｐにより構成され、キャナルシート２２ｄが第２の不織布Ｑにより構成されるのが好ましい態様の一つである。
この態様においては、第１の不織布Ｐと第２の不織布Ｑとが、それぞれの前端から前身頃にかかる部分及び後端から後身頃にかかる部分において互いに結合し、かつ、前身頃の股下部付近から股下部を経て後身頃の股下部付近にかけての部分において互いに結合していないのが好ましい。
この態様の吸収体物品を着用した際には、図３に示される吸収体物品における側面開口の効果と同様の効果を奏する。すなわち、第１の不織布Ｐと第２の不織布Ｑとが結合していない部位があるため、着用者の体位や動きにより左右垂下部が上下動できるような移動自由度と可動性を備えているため、伸縮性頭部の着用者の股下部（クロッチ部）への密着性がより確実に保たれる。また、例えば、着用時に体液がキャナルを溢流して左右にこぼれるような事態が生じても、溢流した体液は、第１の不織布Ｐと第２の不織布Ｑとの間隙を通じて吸収体の表面に戻り、吸収されるので、外部に漏れることは阻止される。
図６（Ａ）は、浮上状態を示しており、キャナル底面部は、吸収体１２（より具体的には、トップシート２４で被覆された吸収体１２）の表面に結合していない。
図６（Ｂ）は、接合状態を示しており、キャナル底面部は、左右方向の中央に存在するキャナル接合部８２ｄにおいて、吸収体１２（より具体的には、トップシート２４で被覆された吸収体１２）の表面に結合している。
吸収体物品本体１４に対するこの起立性サイドガード２０ｄの配置状態については、図１１（Ｃ）を用いて、間隙Ｇの存在状態等については、図２０を用いて、後述する。
【００４０】
図７に示される吸収体物品１ｆは、基本的に、図６に示される吸収体物品１ｅと同様であるが、起立性サイドガード２０ｅが、左右一対の外部側面シート１６ｅがそれぞれ結合する、左右一対の第２伸縮性頭部３０を更に有する点で、異なる。
図７に示される例では、具体的には、外部側面シート１６ｅを構成する第１の不織布Ｐが、その先端に配置された第２伸縮性頭部３０を被覆して起立性サイドガード２０ｅを形成している。第２の不織布Ｑの外側は、第１の不織布Ｐに重なって延在している。
この例でも、図６に示される吸収体物品と同様に、第１の不織布Ｐと第２の不織布Ｑとが互いに結合した部位と結合しない部位とを有し、結合していない部位では、図７に示されるように、第１の不織布Ｐと第２の不織布Ｑとの間に、間隙が存在している。この態様においては、第１の不織布Ｐと第２の不織布Ｑとが、それぞれの前端から前身頃にかかる部分及び後端から後身頃にかかる部分において互いに結合し、かつ、前身頃の股下部付近から股下部を経て後身頃の股下部付近にかけての部分において互いに結合していないのが好ましい。
【００４１】
この態様の吸収体物品１ｆは、着用時に、図３に示される側面開口Ｓｏを有する吸収体物品１ｂと同様の効果を奏する。すなわち、第１の不織布Ｐと第２の不織布Ｑとが結合していない部位があるため、着用者の体位や動きにより左右の垂下部２８ａが上下動できるような移動自由度と可動性を備えているため、伸縮性頭部１８の着用者の股下部（クロッチ部）への密着性がより確実に保たれる。また、例えば、着用時に体液が体液受容キャナルＣａを溢流して左右にこぼれるような事態が生じても、溢流した体液は、第１の不織布Ｐと第２の不織布Ｑとの間隙Ｇを通じて吸収体１２の表面に戻り、吸収されるので、外部に漏れることは阻止される。
この例では、起立性サイドガード２０ｅを構成する外部側面シート１６ｅが第２伸縮性頭部３０を備えているため、図６に示される吸収体物品１ｅと比べて、コストが高くなるものの、外部側面シート１６ｅが安定な起立状態を保ちやすいという利点がある。
図７（Ａ）は、浮上状態を示しており、キャナル底面部は、吸収体１２（より具体的には、トップシート２４で被覆された吸収体１２）の表面に結合していない。
図７（Ｂ）は、接合状態を示しており、キャナル底面部は、左右方向の中央に存在するキャナル接合部８２ｄにおいて、吸収体１２（より具体的には、トップシート２４で被覆された吸収体１２）の表面に結合している。
吸収体物品本体１４に対するこの起立性サイドガード２０ｅの配置状態については、図１１（Ｄ）を用いて、後述する。
【００４２】
図８及び図９に示される吸収体物品は、いずれも、キャナルシートが少なくとも一部において液透過性であり、かつ、キャナルシートの下側に、前後方向に延在し、両縁部がキャナルシートに結合し、その内面により体液の通路を形成する、通路シートを更に具備する例である。
この態様は、キャナルシートにより形成される体液受容キャナルと、その下側に設けられる、通路シートにより形成される体液の通路とを有しており、すなわち、上下２重の通路を有する。
体液受容キャナルは、キャナル部からの溢流を発生させないように、体液を確実に受容する。
体液受容キャナルを形成するキャナルシートは、少なくとも一部（底面）が液透過性である。これにより、体液が体液受容キャナルの底面から体液の通路へと移動することが可能になる。キャナルシートの少なくとも一部を液透過性とする方法は、特に限定されず、例えば、キャナルシートの底面部分を構成する材料として、親水性材料を用いる方法、多孔性材料を用いる方法が挙げられる。この態様においては、キャナルシートの体液受容キャナルの底面となる部分だけでなく、キャナルシートの全体が液透過性であったもよい。
通路シートが形成する体液の通路は、キャナルシートを透過してきた体液をトラップし、再度流れを制御し、体液を前後方向にガイドして移動させる機能を奏する。したがって、通路シートは、液不透過性であるのが好ましい。通路シートを液不透過性とする方法は、特に限定されず、例えば、通路シートを構成する材料として、疎水性不織布を用いる方法、防漏性フィルムを用いる方法が挙げられる。
【００４３】
図８に示される吸収体物品１ｇは、基本的に、図１に示される吸収体物品１と同様であるが、更に、キャナルシート２２の下側に、前後方向に延在し、両縁部がキャナルシート２２に接合部８８で結合し、その内面により体液の通路を形成する、通路シート３２を更に具備する。
図８（Ａ）は、浮上状態を示しており、キャナル底面部の下側に設けられた通路シート３２の下側面（体液の通路の底面部）は、吸収体１２（より具体的には、トップシート２４で被覆された吸収体１２）の表面に結合していない。
図８（Ｂ）は、接合状態を示しており、キャナル底面部の下側に設けられた通路シート３２の下側面（体液の通路の底面部）は、左右方向の中央に存在する通路接合部９０において、吸収体１２（より具体的には、トップシート２４で被覆された吸収体１２）の表面に結合している。
吸収体物品本体１４に対するこの起立性サイドガード２０等の配置状態については、図１２（Ａ）を用いて、後述する。
【００４４】
なお、図８に示される吸収体物品１ｇは、上述したように、図１に示される吸収体物品１に通路シート３２を設けたものであるが、本発明においては、図２に示される吸収体物品１ａや図３に示される吸収体物品１ｂにおいても、同様に通路シートを設けることができる。
【００４５】
図９に示される吸収体物品１ｈは、基本的に、図４に示される吸収体物品１ｃと同様であるが、更に、キャナルシート２２の下側に、前後方向に延在し、両縁部がキャナルシート２２に接合部８８ａで結合し、その内面により体液の通路を形成する、通路シート３２ａを更に具備する。
図９（Ａ）は、浮上状態を示しており、キャナル底面部の下側に設けられた通路シート３２ａの下側面（体液の通路の底面部）は、吸収体１２（より具体的には、トップシート２４で被覆された吸収体１２）の表面に結合していない。
図９（Ｂ）は、接合状態を示しており、キャナル底面部の下側に設けられた通路シート３２ａの下側面（体液の通路の底面部）は、左右方向の中央付近の左右２箇所の通路接合部９０ａにおいて、吸収体１２（より具体的には、トップシート２４で被覆された吸収体１２）の表面に結合している。
吸収体物品本体に対するこの起立性サイドガード２０ｂ等の配置状態については、図１２（Ｂ）を用いて、後述する。
【００４６】
図１０〜図１２は、いずれも、吸収体物品本体に配置された、起立性サイドガード及びキャナルシート等の例の模式的な平面図である。図１０〜図１２においては、吸収体物品本体は図示を省略してある。
図１０〜図１２に示されるように、起立性サイドガードとそれに連結されたキャナルシート又はキャナル部材とは、前後方向の前端及び後端においては、それぞれ前端接合部及び後端接合部で吸収体物品本体と結合し、固定されており、また、左右方向の両側縁においては、それぞれ外部側面接合部９２で吸収体物品本体と結合し、固定されている。
【００４７】
図１０は、起立性サイドガードの外部側面シートと、キャナルシートとが連続した１種類の不織布で構成されている、図１及び図３に示される吸収体物品に対応している。
【００４８】
図１０（Ａ）は、図１に示される吸収体物品１に対応している。
図１０（Ａ）においては、前端接合部９４から前身頃Ｆ、股下部Ｃ及び後身頃Ｒを経て後端接合部９６に至る左右の外部側面シート１６と、前身頃Ｆ、股下部Ｃ及び後身頃Ｒにわたって配置される左右一対の伸縮性頭部１８と、左右一対の外部側面シートに連結され中央に垂下するキャナルシート２０が示されている。
キャナル底面部と吸収体１２の表面（より具体的には、トップシート２４）とは、左右方向の中央付近で、股下部Ｃから前身頃Ｆ及び股下部Ｃから後身頃Ｒにかかる範囲で、キャナル接合部８２において、キャナルシート２０の全長のほぼ６０％の範囲で線状に接合されている。接合は、例えば、ホットメルトにより行われる。
このように、キャナル接合部の長さが、キャナルシートの全長に対して５０％以上であるのは、本発明の好適な態様の一つである。上記範囲であると、キャナルシートの位置がより安定化し、左右方向にずれにくくなる。
吸収体物品１に応力をかけない状態（テンションフリーの状態）にすると、キャナル部は、この股下部Ｃの前後に存在するキャナル接合部８２を含む端面では、図１（Ｂ）に示されるようなＶ字型に類似した形状を示し、前身頃Ｆから前端接合部９４まで及び後身頃Ｒから後端接合部９６までのキャナル接合部８２を含まない端面では、図１（Ａ）に示されるような浮上状態を示している。
【００４９】
図１０（Ｂ）は、図３に示される吸収体物品１ｂに対応している。
図１０（Ｂ）においては、前端接合部９４から前身頃Ｆ、股下部Ｃ及び後身頃Ｒを経て後端接合部９６に至る左右の外部側面シート１６ａと、前身頃Ｆ、股下部Ｃ及び後身頃Ｒにわたって配置される左右一対の伸縮性頭部１８と、左右一対の外部側面シート１６ａに連結され中央に垂下するキャナルシート２０ａが示されている。
キャナル底面部と吸収体の表面（より具体的には、トップシート２４）とは、左右方向の中央付近で、股下部Ｃから前身頃Ｆ及び股下部Ｃから後身頃Ｒにかかる範囲で、キャナル接合部８２において、線状に接合されている。接合は、例えば、ホットメルトにより行われる。
吸収体物品に応力をかけない状態（テンションフリーの状態）にすると、キャナル部は、この股下部Ｃの前後に存在するキャナル接合部８２を含む端面では、図３（Ｂ）に示されるようなＶ字型に類似した形状を示し、前身頃Ｆから前端接合部９４まで及び後身頃Ｒから後端接合部９６までのキャナル接合部８２を含まない端面では、図３には示されていないが、図１（Ａ）に示されるような浮上状態を示している。
【００５０】
左右一対の外部側面シート１６ａは、それぞれ側面開口Ｓｏを有している。図１０（Ｂ）に示される外部側面シート１６ａにおいては、側面開口Ｓｏとして、前後方向に延在する長さの短いスリットが多数設けられている。
側面開口Ｓｏの基本的な効果は、図３を用いて説明したとおりである。
また、側面開口Ｓｏとして、このような多数のスリットを設けると、着用時において、スリットの上側部と下側部とは、網目状に繋がって下部が起立状態を保つ。これにより、体液が吸収体１２の表面を左右に流れて発生する側面漏れを防止するという、いわゆるバンク効果も奏する。
【００５１】
図１０（Ｃ）は、図３に示される吸収体物品１ｂに対応している。
図１０（Ｃ）に示される態様は、基本的には、図１０（Ｂ）に示される態様と同様であるが、側面開口Ｓｏの態様が異なる。図１０（Ｃ）に示される外部側面シートＳｏにおいては、その下縁部付近に、側面開口Ｓｏとして、前後方向に延在する１本の切欠きが設けられている。
側面開口Ｓｏの基本的な効果は、図３を用いて説明したとおりである。
また、側面開口Ｓｏとして、このような切欠きを設けると、着用時において、スリットの上側部と下側部とは、完全に切り離され、キャナル部全体の移動自由度が高くなり、特に、伸縮性頭部１８の前後及び左右の可動範囲が高くなり、着用者の股下部（クロッチ部）に密着状態を維持することが容易になるという効果が高くなる。他方、いわゆるバンク効果は、図１０（Ｂ）に示される態様と比べて、低くなる。
【００５２】
図１０（Ｄ）は、図３に示される吸収体物品１ｂに対応している。
図１０（Ｄ）に示される態様は、基本的には、図１０（Ｂ）に示される態様と同様であるが、側面開口Ｓｏの態様が異なる。図１０（Ｄ）に示される外部側面シート１６ａにおいては、その上縁部付近に、側面開口Ｓｏとして、前後方向に延在する１本の切欠きが設けられている。
側面開口Ｓｏの基本的な効果は、図３を用いて説明したとおりである。
また、側面開口Ｓｏとして、このような切欠きを設けると、着用時において、スリットの上側部と下側部とは、完全に切り離され、キャナル部全体の移動自由度が高くなり、特に、伸縮性頭部の前後及び左右の可動範囲が高くなり、着用者の股下部（クロッチ部）に密着状態を維持することが容易になるという効果が高くなる。他方、いわゆるバンク効果は、図１０（Ｂ）に示される態様と比べて、低くなるが、図１０（Ｃ）に示される態様と比べると、側面開口Ｓｏの位置が高いため、高くなる。
【００５３】
図１１は、起立性サイドガードの外部側面シートと、キャナルシートとが異なる２種類の不織布で構成されている、図４、図６及び図７に示される吸収体物品に対応している。
【００５４】
図１１（Ａ）は、図４に示される吸収体物品１ｃに対応している。
図１１（Ａ）に示される吸収体物品１ｃにおいては、左右一対の外部側面シート１６ｂを構成し、伸縮性頭部１８を被覆する第１の不織布Ｐと、垂下して体液受容キャナルを形成するキャナルシート２２ｂを構成する第２の不織布Ｑの２枚の不織布が用いられている。
第１の不織布Ｐは、吸収体物品本体１４に対して、前端接合部９４から前身頃Ｆ、股下部Ｃ及び後身頃Ｒを経て後端接合部９６に至る前後方向の全長に配置されている。
第２の不織布Ｑは、股下部Ｃから前身頃Ｆまで及び股下部Ｃから後身頃Ｒの前身頃Ｆ側の部分までに配置されている。
第１の不織布Ｐ及び第２の不織布Ｑの縁部は内面接合部８４で接合されている。
キャナル底面部と吸収体１２の表面（より具体的には、トップシート２４）とは、左右方向の中央付近で、股下部Ｃから後身頃Ｒにかかる範囲で、キャナル接合部８２ｂにおいて、キャナルシート２２ｂの全長の約７０％の範囲で線状に接合されている。接合は、例えば、ホットメルトにより行われる。
吸収体物品に応力をかけない状態（テンションフリーの状態）にすると、キャナル部は、この股下部Ｃに存在するキャナル接合部８２ｂを含む端面では、図４（Ｂ）に示されるようなＶ字型に類似した形状を示し、前身頃Ｆに存在するキャナル接合部８２ｂを含まない端面では、図４（Ａ）に示されるような浮上状態を示している。
【００５５】
図１１（Ｂ）は、図４に示される吸収体物品１ｃに対応している。
図１１（Ｂ）に示される吸収体物品１ｃにおいては、左右一対の外部側面シート１６ｂを構成し、伸縮性頭部１８を被覆する第１の不織布Ｐと、垂下するキャナル部を形成するキャナルシート２２ｂを構成する第２の不織布Ｑの２枚の不織布が用いられている。
第１の不織布Ｐは、吸収体物品本体１４に対して、前端接合部９４から前身頃Ｆ、股下部Ｃ及び後身頃Ｒを経て後端接合部９６に至る前後方向の全長に配置されている。この点は、図１１（Ａ）に示される態様と同様である。
第２の不織布Ｑは、吸収体物品本体１４に対して、前端接合部９４から前身頃Ｆ、股下部Ｃ及び後身頃Ｒを経て後端接合部９６に至る前後方向の全長に配置されている。この点は、図１１（Ａ）に示される態様と異なる。
第１の不織布Ｐ及び第２の不織布Ｑの縁部は内面接合部８４で前端から後端まで接合されている。
キャナル底面部と吸収体１２の表面（より具体的には、トップシート２４）とは、左右方向の中央付近で、股下部Ｃから前身頃Ｆ及び股下部Ｃから後身頃Ｒにかかる範囲で、キャナル接合部８２ｂにおいて、キャナルシート２２ｂの全長のほぼ６０％の範囲で線状に接合されている。接合は、例えば、ホットメルトにより行われる。
吸収体物品に応力をかけない状態（テンションフリーの状態）にすると、キャナル部は、この股下部Ｃの前後に存在するキャナル接合部８２ｂを含む端面では、図４（Ｂ）に示されるようなＶ字型に類似した形状を示し、前身頃Ｆから前端接合部９４まで及び後身頃Ｒから後端接合部９６までのキャナル接合部８２ｂを含まない端面では、図４（Ａ）に示されるような浮上状態を示している。
【００５６】
図１１（Ｃ）は、図６に示される吸収体物品１ｅに対応している。
図１１（Ｃ）に示される吸収体物品１ｅにおいては、左右一対の外部側面シート１６ｄを構成する第１の不織布Ｐと、左右一対の伸縮性頭部１８を被覆し、体液受容キャナルを形成するキャナルシート２２ｄを構成する第２の不織布Ｑの２枚の不織布が用いられている。
第１の不織布Ｐは、吸収体物品本体１４に対して、前端接合部９４から前身頃Ｆ、股下部Ｃ及び後身頃Ｒを経て後端接合部９６に至る前後方向の全長に配置されている。
第２の不織布Ｑは、吸収体物品本体１４に対して、前端接合部９４から前身頃Ｆ、股下部Ｃ及び後身頃Ｒを経て後端接合部９６に至る前後方向の全長に配置されている。
第１の不織布Ｐと第２の不織布Ｑとは、互いにオーバーラップするように配置され、前端及び後端以外の部位においては、重ね合わされるだけで接合されず、間隙Ｇが存在するようになっている。
第１の不織布Ｐ及び第２の不織布Ｑのオーバーラップ部３４においては、接合部分が、前端部から前身頃へ、及び／又は、後端部から後身頃へと延展されていてもよいが、少なくとも股下部及びその前後はオーバーラップするだけで、非接合状態であるのが好ましい。接合方法は、特に限定されず、例えば、連続的に接合する態様、スポット状に接合する態様が挙げられる。
キャナル底面部と吸収体１２の表面（より具体的には、トップシート２４）とは、左右方向の中央付近で、股下部Ｃから前身頃Ｆ及び股下部Ｃから後身頃Ｒにかかる範囲で、キャナル接合部８２ｄにおいて、キャナルシート２２ｄの全長のほぼ６０％の範囲で線状に接合されている。接合は、例えば、ホットメルトにより行われる。
吸収体物品に応力をかけない状態（テンションフリーの状態）にすると、キャナル部は、この股下部Ｃの前後に存在するキャナル接合部２２ｄを含む端面では、図６（Ｂ）に示されるようなＶ字型に類似した形状を示し、前身頃Ｆから前端接合部９４まで及び後身頃Ｒから後端接合部９６までのキャナル接合部２２ｄを含まない端面では、図６（Ａ）に示されるような浮上状態を示している。
股下部及びその前後においては、第１の不織布Ｐと第２の不織布Ｑとが互いに接合されていないため、キャナル部、伸縮性頭部１８及びキャナルシート２２ｄの垂下部２８ａは、外部側面シート１６ｄとの接合が全くなく、フローティング状態が保たれ、可動範囲が広く、着用者の身体にフィットしやすい構造となっている。
また、第１の不織布Ｐと第２の不織布Ｑとの間に存在する間隙Ｇは、図１０（Ａ）〜図１０（Ｃ）を用いて説明した側面開口Ｓｏの効果と同様の効果を奏する。
【００５７】
図１１（Ｄ）は、図７に示される吸収体物品１ｆに対応している。
図１１（Ｄ）に示される吸収体物品１ｆにおいては、左右一対の第２伸縮性頭部３０を被覆し、左右一対の外部側面シート１６ｅを構成する第１の不織布Ｐと、左右一対の伸縮性頭部１８を被覆し、体液受容キャナルを形成するキャナルシート２２ｄを構成する第２の不織布Ｑの２枚の不織布が用いられている。
第１の不織布Ｐは、吸収体物品本体１４に対して、前端接合部９４から前身頃Ｆ、股下部Ｃ及び後身頃Ｒを経て後端接合部９６に至る前後方向の全長に配置されている。
第２の不織布Ｑは、吸収体物品本体１４に対して、前端接合部９４から前身頃Ｆ、股下部Ｃ及び後身頃Ｒを経て後端接合部９６に至る前後方向の全長に配置されている。
第１の不織布Ｐと第２の不織布Ｑとは、互いにオーバーラップするように配置され、前端及び後端以外の部位においては、重ね合わされるだけで接合されず、間隙Ｇが存在するようになっている。
第１の不織布Ｐ及び第２の不織布Ｑのオーバーラップ部３４ａにおいては、接合部分が、前端部から前身頃へ、及び／又は、後端部から後身頃へと延展されていてもよいが、少なくとも股下部及びその前後はオーバーラップするだけで、非接合状態であるのが好ましい。接合方法は、特に限定されず、例えば、連続的に接合する態様、スポット状に接合する態様が挙げられる。
第１の不織布Ｐ及び第２の不織布Ｑのオーバーラップの状態及び間隙の存在は、図１１（Ｃ）に示される態様と類似するが、第１の不織布Ｐで構成される外部側面シート１６ｅが第２伸縮性頭部３０を有することにより、安定な起立状態を保つようになり、発生する間隙の形状を前後左右に一定に維持することが容易になる。
キャナル底面部と吸収体１２の表面（より具体的には、トップシート２４）とは、左右方向の中央付近で、股下部Ｃから前身頃Ｆ及び股下部Ｃから後身頃Ｒにかかる範囲で、キャナル接合部８２ｄにおいて、キャナルシート２２ｄの全長のほぼ６０％の範囲で線状に接合されている。接合は、例えば、ホットメルトにより行われる。
【００５８】
吸収体物品に応力をかけない状態（テンションフリーの状態）にすると、キャナル部は、この股下部Ｃの前後に存在するキャナル接合部８２ｄを含む端面では、図７（Ｂ）に示されるようなＶ字型に類似した形状を示し、前身頃Ｆから前端接合部９４まで及び後身頃Ｒから後端接合部９６までのキャナル接合部８２ｄを含まない端面では、第１の不織布Ｐと第２の不織布Ｑの左右の垂下部２８ａとが間隙Ｇを有する図７（Ａ）に示されるような浮上状態を示している。
股下部及びその前後においては、第１の不織布Ｐと第２の不織布Ｑとが互いに接合されていないため、図１１（Ｃ）に示される態様と同様に、キャナル部、伸縮性頭部１８及びキャナルシート２２ｄの垂下部２８ａは、外部側面シート１６ｅとの接合が全くないのでフローティング状態が保たれ、可動範囲が広く、着用者の身体にフィットしやすい構造となっている。
また、第１の不織布Ｐと第２の不織布Ｑとの間に存在する間隙Ｇは、図１０（Ａ）〜図１０（Ｃ）を用いて説明した側面開口Ｓｏの効果と同様の効果を奏する。
【００５９】
図１２は、更に、通路シートを有する例であり、図８及び図９に示される吸収体物品に対応している。
【００６０】
図１２（Ａ）は、図８に示される吸収体物品１ｇに対応している。上述したように、図８に示される吸収体物品１ｇは、図１に示される吸収体物品１（図１０（Ａ）に対応する。）のキャナル底面部に通路シート３２を接合したものである。
通路シート３２は、前後方向において、股下部Ｃを中心に前身頃Ｆ及び後身頃Ｒにかけて配置されている。通路シート３２は、左右方向が伸縮性頭部１８の内側に収まるように配置されている。
通路シート３２の左右の側縁は、接合部８８において、キャナルシート２２に接合され、通路シート３２と吸収体１２の表面とは左右方向の中央部で、通路接合部９０において、通路シート３２の前後方向のほぼ全長で線状に接合されている。接合は、例えば、ホットメルトにより行われる。
この例では、外部側面シート１６及びキャナルシート２２を構成する不織布としては、ＰＥ／ＰＰ繊維製のＳＢ不織布（例えば、目付量１５ｇ／ｍ2）を、界面活性剤のコーティングによる親水化処理を施すなどにより、キャナル底面部が親水性としたものを用いるのが好ましい態様の一つである。通路シート３２を構成する不織布としては、疎水性で防漏性をもつＰＰ繊維製のＳＭＳ不織布（例えば、目付量１５ｇ／ｍ2）を用いるのが好ましい態様の一つである。
【００６１】
図１２（Ｂ）は、図９に示される吸収体物品１ｈに対応している。上述したように、図９に示される吸収体物品１ｈは、図４に示される吸収体物品１ｃ（図１１（Ｂ）に対応する。）のキャナル底面部に通路シート３２ａを接合したものである。
通路シート３２ａは、前後方向において、股下部Ｃを中心に前身頃Ｆ及び後身頃Ｒにかけて配置されている。通路シート３２ａは、幅広であり、側縁を折り畳んであるが、左右方向が伸縮性頭部１８の外側にはみ出すように配置されている。このような態様の通路シート３２ａは、形成される体液の通路の断面積が大きく、体液を安定的に移動させることができる。
通路シート３２ａの左右の側縁は、接合部８８ａにおいて、キャナルシート２２ｂに接合され、通路シート３２ａと吸収体１２の表面とは左右２箇所で、通路接合部９０ａにおいて、通路シート３２ａの前端及び後端以外の部分で通路シート３２ａの全長に対してほぼ９０％の範囲で線状に接合されている。接合は、例えば、ホットメルトにより行われる。
この例では、外部側面シート１６ｂを構成する第１の不織布Ｐとしては、ＰＰ繊維製のＳＭＳ不織布（例えば、目付量１３ｇ／ｍ2）を用いるのが好ましい態様の一つである。キャナルシート２２ｂを構成する第２の不織布Ｑとしては、ＰＥ／ＰＰ繊維製のＳＢ不織布（例えば、目付量１５ｇ／ｍ2）を、界面活性剤のコーティングによる親水化処理を施すなどにより、キャナル底面部が親水性としたものを用いるのが好ましい態様の一つである。通路シート３２ａを構成する不織布としては、液不透過性シートとして、ティッシュペーパーをラミネートしたＰＥ樹脂フィルムを、ＰＥフィルムが吸収体面側に面するようにして用いるのが好ましい態様の一つである。
【００６２】
外部側面シート、キャナルシート及び通路シートに用いられる材料について説明する。
外部側面シート、キャナルシート及び通路シートに用いられる材料は、いずれも体液の吸収性、特に、体液の保有性が小さいものであるのが好ましい。
体液受容キャナルにおいて体液を受容し、移動させ、分配するキャナル機能を奏するためには、体液受容キャナルを形成するキャナルシートが、受容した体液をそのまま吸収し、保有するような吸収体に類似する機能を有することは好ましくなく、体液の保有性が少ない材料であるのが好ましい。体液受容キャナルに用いられる材料としては、具体的には、例えば、目付量の小さい、疎水性の合成繊維不織布が好適に挙げられる。
他方、体液が体液受容キャナルの中を、左右方向にあまり移動せず、前後方向に円滑に移動するためには、体液受容キャナルを形成するキャナルシートが表面に濡れ性を備えているのが好ましい。
【００６３】
上記の二つの相反する要求特性を矛盾なく解決するためには、表面親水化不織布と液不透過性フィルムとを接合一体化した複層シートを用いるのが好ましい。
複層シートを構成する表面親水化不織布としては、例えば、表面を界面活性剤で親水化処理した合成繊維不織布が好ましい。合成繊維不織布としては、例えば、ＰＥ、ＰＰ、ＰＥＴ、樹脂等を主成分とするスパンメルト不織布（例えば、ＳＢ不織布、ＳＭＳ不織布、ＳＭＭＳ不織布）；ＰＥ／ＰＰ、ＰＥ／ＰＥＴ等のバイコンポーネント繊維を主成分とするエアーレイド不織布；レーヨン、リヨセル、コットン等の親水性繊維を主成分とするスパンレース不織布；木材パルプ、ＰＶＡ、ショートカット繊維等を主成分とする湿式不織布等が好適に挙げられる。合成繊維不織布は、比較的薄い不織布であるのが好ましく、例えば、目付量５〜４０ｇ／ｍ2であるのが好ましい。
複層シートを構成する液不透過性フィルムとしては、例えば、ＰＥ、ＰＰ、ＰＶＡ、ＰＥＴ、ＥＶＡ樹脂等を主成分とする包材フィルム；ＳＢＲ、ポリウレタン、天然ゴム等を主成分とする弾性フィルムが好適に挙げられる。複層シートを構成する液不透過性フィルムは、比較的薄いフィルムであるのが好ましく、例えば、５〜３０μｍであるのが好ましい。
【００６４】
外部側面シートに用いられる材料としては、体液に対する透過抵抗性（防漏性）を有する材料（例えば、不織布）であるのが好ましく、例えば、従来、おむつに用いられている疎水性のスパンメルト不織布（例えば、ＰＥ、ＰＰ樹脂等を主成分とするＳＢ不織布、ＳＭＳ不織布）が好ましい。また、上述した表面親水化不織布と液不透過性フィルムとを接合一体化した複層シートを用いるのも好ましい。
キャナルシートに用いられる材料としては、外部側面シートに用いられる材料として挙げたものが好ましい。ただし、後述する通路シートと組み合わせて用いられる場合には、キャナルシートの少なくとも一部（底面部）が液透過性を有するのが好ましく、具体的には、例えば、キャナルシートの一部又は全部を親水化処理した液透過性不織布；開孔（例えば、漏斗型）を有する液透過性開孔フィルム（例えば、ＰＥ製）が好適に挙げられる。この場合においても、体液の保有性が低いのが好ましい。
通路シートに用いられる材料としては、液不透過性であるのが好ましく、例えば、上述した液不透過性フィルム；従来、おむつのバックシートとして用いられている防漏シート；上述した表面親水化不織布と液不透過性フィルムとを接合一体化した複層シートが好適に挙げられる。中でも、体液が通路シートが形成する体液の通路の中を、左右両縁からオーバーフローせず、前後方向に円滑に移動するためには、表面親水化不織布と液不透過性フィルムとを接合一体化した複層シートが好ましい。
【００６５】
体液受容キャナルは、キャナルシートが吸収体の表面に向かってハンモック状に垂下して形成され、横端面図においてＶ字型、Ｕ字型等の形状を呈する。体液受容キャナルの中央付近には、底面が形成されており、その両側には側面が形成されている。
本発明の吸収体物品においては、体液受容キャナルの底面を構成するキャナルシートの下面の一部と吸収体の表面とが結合しているのが好ましい。すなわち、体液受容キャナルが、浮上状態及び接合状態の二つの状態を有しているのが好ましい。
【００６６】
体液受容キャナルの垂下状態（キャナルシートが吸収体の表面に向かってハンモック状に垂下している状態）は、左右一対の伸縮性頭部間の内側の間隔（頭部開口幅）ｗに対する、左右一対の伸縮性頭部の上面を結ぶ面とキャナルシートの左右方向の中央部における上面との距離ｈの比である、垂下度（ｈ／ｗ）で表すことができる。
図１３は、体液受容キャナルの垂下状態の説明図である。図１３においては、図４に示される吸収体物品１ｃを例として用いている。
図１３（Ａ）は、吸収体物品１ｃに応力をかけて、左右及び前後に開いた状態の図である。この図は、吸収体物品１ｃの製造時の状態を模式的に表現しているということができる。この状態では、外部側面シート１６ｂ及びキャナルシート２２ｂのいずれも、前後方向の全長にわたって左右方向に引っ張られており、左右一対の伸縮性頭部１８間の内側の間隔ｗが最大になり、かつ、左右一対の伸縮性頭部１８の上面を結ぶ面とキャナルシート２２ｂの左右方向の中央部における上面との距離ｈが最小になっている。子供用おむつを例に挙げると、ｗ0が、６０〜９０ｍｍで、ｈ0が、伸縮性頭部１８がキャナルシート２２ｂの上面とほぼ接触しているので、ほぼ０ｍｍで、垂下度ｈ0／ｗ0は、ほぼ０である。なお、この状態は、吸収体物品１ｃに応力をかけない状態（テンションフリーの状態）での前端部及び後端部における存在状態と同様ということができる。
図１３（Ｂ）及び図１３（Ｃ）は、いずれも、吸収体物品１ｃに応力をかけない状態（テンションフリーの状態）の図である。この状態では、吸収体物品本体１４は弓状に湾曲している。
図１３（Ｂ）は、体液受容キャナルＣａの浮上状態を示している。浮上状態は、吸収体物品１ｃの前端から前身頃にかけて及び後端から後身頃にかけての部位に存在するのが好ましい。浮上状態においては、相対的に、ｗが大きく、ｈが小さい。子供用おむつを例に挙げると、ｗ1が、５０〜７０ｍｍで、ｈ1が、５〜２０ｍｍで、垂下度ｈ1／ｗ1は、０．１〜０．４であるのが好ましい。
図１３（Ｃ）は、体液受容キャナルＣａの接合状態を示している。接合状態は、吸収体物品１ｃの股下部及びその前後の部位に存在するのが好ましい。接合状態においては、相対的に、ｗが小さく、ｈが大きくなる。接合状態の部位においては、左右一対の伸縮性頭部１８間の内側の間隔ｗは、着用時に着用者の股下部（クロッチ部）の内側の体液排出器の両側面にピンポイントで接触できるような幅とするのが好ましい。具体的には、男性であれば陰嚢及びペニスを体液受容キャナルＣａ内にぴったりと収容する位置、女性であれば尿道口を収容し大陰唇の外側に密着する位置が好ましい。子供用おむつを例に挙げると、テンションフリーの状態で、股下部において、ｗ2が、３０〜５０ｍｍで、ｈ2が、３０〜７０ｍｍで、垂下度ｈ2／ｗ2は、０．６〜２．３であるのが好ましい。大人用おむつでは、ｗ2は、相対的に広くなるが、テンションフリーの状態で、股下部において、１００ｍｍ以下であるのが通常である。なお、従来型の子供用おむつの場合、ｗ2に相当する幅は、着用時は少なくとも５０ｍｍ、通常は１００ｍｍ前後であり、ｈ2はほとんど０である。
【００６７】
つぎに、本発明の吸収体物品のより具体的な実施態様の例について説明する。
図１４〜図１６は、本発明の吸収体物品の実施態様の例を示す模式図である。図１４は、子供用テープ型おむつ（Ｍサイズ）の態様である吸収体物品に応力を加えて前後方向及び左右方向に引っ張って展開し、ほぼ平面状にした状態を模式的に示した展開平面図である。図１５（Ａ）は、前記の状態の図１４中のＸＶ−ＸＶ線に沿った横端面図である。図１５（Ｂ）は、吸収体物品に応力を加えない場合の（弛緩状態の）図１４中のＸＶ−ＸＶ線に沿った横端面図である。図１６（Ａ）は、前記の状態の図１４中のＸＶＩ−ＸＶＩ線に沿った横端面図である。図１６（Ｂ）は、吸収体物品に応力を加えない場合の（弛緩状態の）図１４中のＸＶＩ−ＸＶＩ線に沿った横端面図である。
【００６８】
図１４〜図１６に示される吸収体物品１００は、基本的に、シート状の防漏体１１と、防漏体１１の上部に少なくとも一層配置された体液を吸収しうる吸収体１３とを有する吸収体物品本体（おむつ本体）１５と、吸収体物品本体１５の前端部から後端部にわたって配置され、前端、後端及び側縁が吸収体物品本体１５に固定され、前記側縁の固定された位置（外部側面接合部９３）から吸収体１３の上方に向かって起立する左右一対の外部側面シート１７と、起立した外部側面シート１７の頂点付近において、左右一対の外部側面シート１７がそれぞれ結合する左右一対の伸縮性頭部１９とを有する、起立性サイドガード２１と、吸収体物品本体１５の少なくとも前身頃Ｆの後方の一部から、股下部Ｃを経て、後身頃Ｒの前方の一部にわたって配置され、起立性サイドガード２１に連結されて、左右一対の伸縮性頭部１９から吸収体１３の表面に向かってハンモック状に垂下し、その内面により体液受容キャナルＣａを形成する、キャナルシート２３とを具備する。各種部材同士の結合は、例えば、ホットメルト接着剤により行うことができる。
【００６９】
吸収体物品１００においては、起立性サイドガード２１は、前後方向の前端及び後端においては、それぞれ前端接合部９５及び後端接合部９７で吸収体物品本体１５と結合し、固定されている。
起立性サイドガード２１の外部側面シート１７の内面と、側縁を内側に折り畳んだキャナルシート２３の上縁とは、図４に示される吸収体物品１ｃ及び図１１（Ａ）に示される態様と同様に、内面接合部８５で、ホットメルト接着剤により接合され、連結される。
キャナルシート２３は、吸収体１３の左右方向の中央部に、前後方向に少なくとも前身頃Ｆの一部から股下部Ｃを経て後身頃Ｒの一部にまでわたって配置されている。
このキャナルシート２３は、左右一対の起立性サイドガード２１の伸縮性頭部１９から吸収体１３の表面に向かってハンモック状に垂下して、体液受容キャナルＣａを形成している。
体液受容キャナルＣａは、左右方向の中央、かつ、キャナル部の底面に相当する部位で、股下部Ｃにおいて前後方向に延在する線状のキャナル接合部８３により、吸収体１３（より具体的には、トップシート２５）の表面と接合されている。
左右一対の外部側面シート１７は、それぞれ、下端部付近において、前後方向に延在する切欠きＣｏが設けられ、切欠きＣｏの上下が切り離されている。この切欠きＣｏは、前後方向において、キャナル接合部８３が存在する位置とほぼ同じ位置に設けられている。切欠きＣｏの全長は、外部側面シート１７の全長のほぼ３分の１の長さである。
【００７０】
キャナル接合部８３が存在しない前身頃Ｆにおいては、応力を加えた状態では、図１５（Ａ）に示されるように、平坦な配置になり、外部側面シート１７及びキャナルシート２３が折り畳まれた状態になり、左右一対の伸縮性頭部間の内側の間隔ｗ3は、７０ｍｍになっている。
また、テンションフリーの緩和状態では、図１５（Ｂ）に示されるように、外部側面シート１７は、伸縮性頭部１９と共に吸収体１３の上方に向かって起立し、左右一対の伸縮性頭部１９間には排出器を収容し体液の受容口となる頭部開口Ｈｏを形成し、キャナルシート２３は、左右方向の中央部に底部を持つ体液受容キャナルＣａを形成する。すなわち、体液受容キャナルＣａは、伸縮性頭部１９間に存在する頭部開口Ｈｏを有している。
図１５（Ｂ）に示されるキャナル部は、浮上状態となっている。この部位の左右一対の伸縮性頭部１９間の内側の間隔は、外部側面シート１７の下端が固定されているため相対的に広がり、キャナル部の底面までの深さも浅く、また前後及び左右に移動しにくい。体液受容キャナルＣａの垂下状態は、ｗ4が、６０ｍｍで、ｈ4が、１５ｍｍで、垂下度ｈ4／ｗ4は、０．２５である。
【００７１】
キャナル接合部８３が存在する股下部Ｃにおいては、応力を加えた状態では、図１６（Ａ）に示されるように、平坦な配置になり、外部側面シート１７及びキャナルシート２３が折り畳まれた状態になり、左右一対の伸縮性頭部間の内側の間隔ｗ5は、７０ｍｍになっている。これは、切欠きＣｏが存在する以外、図１５（Ａ）に示されるのと同様である。
また、テンションフリーの緩和状態では、図１６（Ｂ）に示されるように、外部側面シート１７は、伸縮性頭部１９と共に吸収体１３の上方に向かって切欠きＣｏの拡がりをともなって起立し、左右一対の伸縮性頭部１９間には排出器を収容し体液の受容口となる頭部開口Ｈｏを形成し、キャナルシート２３は、左右方向の中央部に底部を持つ体液受容キャナルＣａを形成する。
図１６（Ｂ）に示されるキャナル部は、接合状態となっており、Ｖ字型に類似した断面形状を有する。この部位の左右一対の伸縮性頭部１９間の内側の間隔は、外部側面シート１７の切欠きＣｏにより切欠きＣｏの上下が切り離され、伸縮性頭部１９がフローティング状態になっているため、相対的に小さくなり、キャナル底面部までの深さも深く、また前後及び左右に移動しやすく、着用者の股下部（クロッチ部）にフィットしやすくなる。体液受容キャナルの垂下状態は、ｗ6が、４０ｍｍで、ｈ6が、７０ｍｍで、垂下度ｈ6／ｗ6は、１．７５である。
キャナル部は、浮き上がった前方部分が高く、固定された後方部分が低くなるようになっている。
【００７２】
このように、左右一対の伸縮性頭部間の内側の間隔ｗが、テンションフリーの状態で、前身頃及び後身頃において、股下部よりも広くなっているのは、本発明の好適な態様の一つである。
間隔ｗは、テンションフリーの状態で、股下部において、１００ｍｍ以下であるのが好ましく、６０ｍｍ以下であるのがより好ましく、また、２０ｍｍ以上であるのが好ましい。上記範囲であると、多くの着用者（大人）に対し、着用時に着用者の股下部（クロッチ部）の内側の体液排出器の両側面にピンポイントで接触できるようになる。
【００７３】
本発明の吸収体物品において、防漏体１１の材質は、一般に、バックシートとして用いられているものを用いることができる。具体的には、例えば、ＰＥ、ＰＰ、ＰＥＴ、ＥＶＡ等の樹脂のフィルム；前記樹脂の発泡シート等の体液不透過性シートを用いることができる。体液不透過性シートは、通気性フィルム等の通気性を有するものも好適に用いられる。
また、前記樹脂のフィルムを用いる場合には、感触や外観を向上させるために、フィルムと不織布との複層シートとして用いることもできる。この場合、不織布としては、比較的低目付のＳＢ、サーマルボンド不織布（例えば、エアスルータイプ）等が好適に用いられる。
また、前記樹脂のフィルムと後述するシート状吸収体との複層シートを用いることもできる。
また、高耐水性不織布を用いることもできる。高耐水性不織布としては、例えば、耐水度１００ｍｍＨ2Ｏ以上の耐水性を有するＳＭＳ、不織布ウェブの細孔をミクロフィブリル化セルロース（ＭＦＣ）やワックスで充填することにより耐水性を付与されたＳＭＳが挙げられる。この場合、単独で用いてもよく、フィルムと高耐水性不織布との複層シートとして用いることもできる。
【００７４】
防漏体１１は、複数の部材から構成されていてもよい。
【００７５】
防漏体１１は、シート状であり、吸収体１３等を上部に収納し得るものであれば、その形状を特に限定されない。
【００７６】
本発明に用いられる吸収体１３は、体液を吸収しうるものであれば特に限定されず、従来公知の吸収体物品に用いられる吸収体を用いることができる。例えば、粉砕された木材パルプ、粉砕された木材パルプと粒状又は粉体状のＳＡＰとを混合しマット状に成形した吸収体、薄いシート状に成形されたＳＡＰを主成分とするシート状吸収体等を用いることができる。これらの吸収体は、その形状を保持し、同時にパルプやＳＡＰから発生する微粉の発生や脱落を防ぐため、ティッシュペーパー、不織布、開孔フィルム等からなるコアラッピング材で被覆されているのが一般的である。本明細書においては、コアラッピング材が用いられている場合には、コアラッピング材も含めて「吸収体」と呼ぶ。
【００７７】
シート状吸収体は、形態安定性、ＳＡＰの脱落防止性能等に優れる。
シート状吸収体の中でも、ＳＡＰを５０質量％以上、好ましくは６０質量％以上、より好ましくは７０質量％以上含有する高吸水性シートであるのが好ましい。また、高吸水性シートにおけるＳＡＰの含有量は、高吸水性シートの安定性等の点で、９５質量％以下であるのが好ましい。
【００７８】
高吸水性シートは、ＳＡＰを主成分とする極薄のシート状吸収体である。高吸水性シートは、ＳＡＰの含有量が極めて高いため、厚さが極めて薄い。高吸水性シートの厚さは、１．５ｍｍ以下であるのが好ましく、１ｍｍ以下であるのがより好ましい。
高吸水性シートは、ＳＡＰを主成分とする極薄のシート状吸収体であれば、構成や製造方法を特に限定されない。
例えば、Ａｉｒ  Ｌａｉｄ法で得られる高吸水性シートが挙げられる。Ａｉｒ  Ｌａｉｄ法は、粉砕した木材パルプとＳＡＰとを混合し、結合剤を添加してシート状に成形して高吸水性シートを得る方法である。この方法で得られる高吸水性シートとしては、例えば、米国レオニヤ（Ｒａｙｏｎｉｅｒ）社製のＮＯＶＡＴＨＩＮ（米国登録商標）、王子キノクロス社製のＢ−ＳＡＰ等が知られている。
また、ＳＡＰの分散スラリーを不織布等の体液透過性シートの上にコーティングする方法で得られる高吸水性シートも挙げられる。ここで、ＳＡＰの分散スラリーは、ＳＡＰとミクロフィブリル化セルロース（ＭＦＣ）とを、水とエタノールとの混合溶媒に分散させたものであるのが好ましい。この方法で得られる高吸水性シートとしては、例えば、（株）日本吸収体技術研究所製のＭｅｇａＴｈｉｎ（登録商標）が知られている。
そのほかに、例えば、起毛状不織布にＳＡＰを大量に担持させ、ホットメルトバインダー、エマルションバインダー、水性繊維等で固定する方法で得られる高吸水性シート、繊維状ＳＡＰをＰＥＴ（ポリエチレンテレフタレート）繊維と混合してウェブ状に成形する方法で得られる高吸水性シート、ＳＡＰ層の上下をティッシュで挟んだＳＡＰシートが挙げられる。
【００７９】
吸収体１３は、防漏体１１の上部に、少なくとも１層配置される。すなわち、吸収体１３は、１層であってもよく、２層以上（複数層）であってもよい。
また、吸収体１３は、折りたたんだ状態で配置することもできる。
【００８０】
吸収体物品本体１５は、上述した防漏体１１と、吸収体１３とを有し、他の構成部材を有していてもよい。
【００８１】
図１４〜図１６に示される吸収体物品１００は、左右一対のアウターレッグギャザー（ＯＬＧ）３６を有する。ＯＬＧ３０は、並列した２本のポリウレタンフィラメント（伸縮性部材）が、防漏体１１とトップシート２５との間に配置されることにより形成されている。本発明において、ＯＬＧは、これに限定されず、例えば、従来公知のものを用いることができる。
また、吸収体物品１００においては、前部及び後部には、それぞれ、左右方向に左右側縁から中央部を被覆するように前部ポケット３８及び後部ポケット４０が設けられている。前部ポケット３８は、防漏性のシート部材により構成され、その前端及び左右の側縁が密閉され、後方に向かって開口している。後部ポケット４０は、防漏性のシート部材により構成され、後端及び左右の側縁が密閉され、前方に向かって開口している。前部ポケット３８及び後部ポケット４０に用いられる防漏性のシート部材としては、例えば、上述した防漏体１１に用いられるものを用いることができる。
さらに、吸収体物品１００においては、後部の左右側縁には着脱を可能にする着脱部材（結束具）４２を備えている。また、防漏体１１の前端付近の下面には、着脱部材４２と互いに着脱自在となるように、着脱部材（図示せず）が設けられている。これらの着脱部材は、例えば、各種面ファスナーにより構成することができる。具体的には、後部の左右側縁に設けられる着脱部材４２として、ベルクロテープ（雄）、防漏体１１の前端付近の下面に設けられる着脱部材として、ＴＬＺ（雌）を用いることができる。
【００８２】
このおむつに尿が排出された場合、尿は従来のおむつのように直接吸収体の表面上に排出されるのではなく、頭部開口Ｈｏを通じて体液受容キャナルＣａにそのほぼ全量が収容され、体液受容キャナルＣａを前方及び／又は後方に移動する。基本的に、体液が後部に移動しやすいように設計されているが、着用体位によって移動方向は異なってくる。
例えば、伏臥位の場合は、体液受容キャナルＣａの垂下状態の前方に移動する量が多くなり、前身頃Ｆの中心部から前部ポケット３８に移動し、左右及び前後に拡散していくが、前部ポケット３８の前端と両側面は密閉されているので、尿が吸収容量内である限り流れ出すことはない。このように、前部ポケット３８により、左右一対の外部側面シート１７の内側に存在する体液の前方への溢流が防止される。
また、座位、立位及び仰臥位の場合は、体液受容キャナルＣａを後方に移動する量が多くなり、後身頃Ｒの中心部から後部ポケット４０に移動し、左右及び前後に拡散していくが、後部ポケット４０の後端と両側面は密閉されているので、尿が吸収容量内である限り流れ出すことはない。
どのような体位においても狭く、吸収容量の小さい股下部（クロッチ部）には、体液が直接排出されることはない。たとえ、尿が体液受容キャナルＣａから伸縮性頭部１９を越えてあふれ出て左右にこぼれ出しても、切欠きＣｏを通じて吸収体１３の表面に移動し、吸収される。ただし、尿の溢流量が多く吸収体１３の表面を流れるような状態に至った場合には、切欠きＣｏの存在する位置が低いため、外部側面シート１７によるサイドバンク効果はあまり発揮されず、漏れ出だすことは考えられる。このように、この態様のおむつは股下部からの尿の横漏れが起こりにくい構造になっている。
また、この態様のおむつでは、吸収体１３の表面と着用者の肌との間にはキャナルシート２３が介在しているため、キャナルシート２３が、着用者と、着用者から排出され吸収体１３に吸収された尿との接触を防ぐバリヤーの役割を果たし、肌の湿潤や汚染が大幅に抑制される。
【００８３】
このおむつに便が排出されると、便は、後部の外部側面シート１７に切欠きＣｏがなく、比較的広くなっている伸縮性頭部１９間の頭部開口Ｈｏから収容され、体液受容キャナルＣａの後端部から吸収体１３の表面に直接移動する。便が固形である場合は、そこにとどまるが、流動性が高い場合は、左右及び前後に移動する。後部には後部ポケット４０が存在し、後部ポケット４０の後端と両側面は密閉されているので、便が収容容量内である限り漏れ出すことはない。
【００８４】
図１７は、本発明の吸収体物品の実施態様の別の例を示す模式図である。図１７（Ａ）は、子供用テープ型おむつ（Ｍサイズ）の態様である吸収体物品に応力を加えて前後方向及び左右方向に引っ張って展開し、ほぼ平面状にした状態を模式的に示した展開平面図である。図１７（Ｂ）は、吸収体物品に応力を加えない場合の（弛緩状態の）図１７（Ａ）中のＸＶＩＩＢ−ＸＶＩＩＢ線に沿った横端面図である。
【００８５】
図１７に示される吸収体物品１０１は、基本的に、図１４〜図１６に示される吸収体物品１００と同様であるが、キャナルシートの配置状態及び外部側面シートにおける開口の存在状態が異なる。
キャナルシート２３ａは、吸収体１３の左右方向の中央部に、前後方向に前身頃Ｆの大部分をカバーし、股下部Ｃを経て、後身頃Ｒの一部にわたって配置され、前身頃Ｆでは前部ポケット３８と重なるように配置されている。これは尿をできるだけ後部に移動させることができる態様である。
【００８６】
他方、乳幼児用や、下痢状態の流動性便に対応するために、キャナルシート２３ａは、吸収体１３の左右方向の中央部に、前後方向に後身頃Ｒの大部分をカバーし、股下部Ｃを経て、前身頃Ｆの一部にわたって配置され、後身頃Ｒでは後部ポケット４０と重なるように配置されている。これにより、流動性便を体液受容キャナルＣａに捕集し、濃縮することにより、流動性便をおむつの外に漏らすことなく２回、３回と処理することが可能になる。
このキャナルシートＣａは、左右一対の起立性サイドガード２１の伸縮性頭部１９から吸収体１３の表面に向かってハンモック状に垂下してキャナル部を形成している。
体液受容キャナルＣａは、左右方向の中央、かつ、キャナル部の底面に相当する部位で、股下部Ｃにおいて前後方向に延在する線状のキャナル接合部８３ａにより、前端及び後端以外の前後方向のほぼ全域で、吸収体１３（より具体的には、トップシート２５）の表面と接合されている。
左右一対の外部側面シート１７においては、それぞれ、上縁部付近において、伸縮性頭部１９に近接して、前後方向に延在する１個のスリットＳｌが設けられ、スリットＳｌの上下が切り離されている。このスリットＳｌは、前後方向において、股下部Ｃの範囲とほぼ同じ位置に設けられている。スリットＳｌの全長は、外部側面シート１７の全長のほぼ３分の１の長さである。
【００８７】
テンションフリーの緩和状態では、図１７（Ｂ）に示されるように、外部側面シート１７は、伸縮性頭部１９と共に吸収体１３の上方に向かってスリットＳｌの大きな拡がりをともなって起立し、左右一対の伸縮性頭部１９間には排出器を収容し体液の受容口となる頭部開口Ｈｏを形成し、キャナルシート２３ａは、左右方向の中央部に底部を持つ体液受容キャナルＣａを形成する。
【００８８】
図１７（Ｂ）に示されるキャナル部は、接合状態となっており、テンションフリーの緩和状態では、Ｖ字型に類似した断面形状を有する。この部位の左右一対の伸縮性頭部１９間の内側の間隔は、外部側面シート１７のスリットＳｌによりスリットＳｌの上下が切り離されているため、伸縮性頭部１９が外部側面シート１７のスリットＳｌの下側部分と切り離され、伸縮性頭部１９がフローティング状態になっているので、相対的に小さくなり、キャナル底面部までの深さも深く、また前後及び左右に移動しやすく、着用者の股下部（クロッチ部）にフィットしやすくなる。
【００８９】
このおむつに尿が排出された場合、尿は従来のおむつのように直接吸収体の表面上に排出されるのではなく、頭部開口Ｈｏを通じて体液受容キャナルＣａにそのほぼ全量が収容され、体液受容キャナルＣａを前方及び／又は後方に移動する。基本的に、体液が後部に移動しやすいように設計されているが、着用体位によって移動方向は異なってくる。
例えば、伏臥位の場合は、体液受容キャナルＣａの垂下状態の前方に移動する量が多くなり、前身頃Ｆの後端から前部ポケット３８に移動し、左右及び前後に拡散していくが、前部ポケット３８の前端と両側面は密閉されているので、尿が吸収容量内である限り流れ出すことはない。
また、座位、立位及び仰臥位の場合は、体液受容キャナルＣａを後方に移動する量が多くなり、後身頃Ｒの中心部から後部ポケット４０に移動し、左右及び前後に拡散していくが、後部ポケット４０の後端と両側面は密閉されているので、尿が吸収容量内である限り流れ出すことはない。
どのような体位においても狭く、吸収容量の小さい股下部（クロッチ部）には、体液が直接排出されることはない。たとえ、尿が体液受容キャナルＣａから伸縮性頭部１９を越えてあふれ出て左右にこぼれ出しても、スリットＳｌを通じて吸収体１３の表面に移動し、吸収される。たとえ、溢流量が多く吸収体１３の表面を流れるような状態に至った場合であっても、スリットＳｌの存在する位置が高いため、外部側面シート１７によるサイドバンク効果が発揮され、尿が外部へ漏れ出だすことが防止される。このように、この態様のおむつは、股下部からの尿の横漏れが極めて起こりにくい構造になっている。
また、この態様のおむつでは、吸収体１３の表面と着用者の肌との間にはキャナルシート２３ａが介在しているため、キャナルシート２３ａが、着用者と、着用者から排出され吸収体１３に吸収された尿との接触を防ぐバリヤーの役割を果たし、肌の湿潤や汚染が大幅に抑制される。
【００９０】
このおむつに便が排出されると、便は、後部の外部側面シート１７にスリットＳｌがなく、比較的広くなっている伸縮性頭部１９間の頭部開口Ｈｏから収容され、体液受容キャナルＣａの後端部から吸収体１３の表面に直接移動する。便が固形である場合は、そこにとどまるが、流動性が高い場合は、左右及び前後に移動する。後部には後部ポケット４０が存在し、後部ポケット４０の後端と両側面は密閉されているので、便が収容容量内である限り漏れ出すことはない。
【００９１】
図１８は、本発明の吸収体物品の実施態様の更に別の例を示す模式図である。図１８（Ａ）は、子供用テープ型おむつ（Ｍサイズ）の態様である吸収体物品に応力を加えて前後方向及び左右方向に引っ張って展開し、ほぼ平面状にした状態を模式的に示した展開平面図である。図１８（Ｂ）は、吸収体物品に応力を加えない場合の（弛緩状態の）図１８（Ａ）中のＸＶＩＩＩＢ−ＸＶＩＩＩＢ線に沿った横端面図である。
【００９２】
図１８に示される吸収体物品１０２は、基本的に、図１７に示される吸収体物品１０１と同様であるが、キャナルシートの配置状態並びに前部ポケット及び後部ポケットの形成状態が異なる。
キャナルシート２３ｂは、吸収体１３の左右方向の中央部に、前後方向に外部側面シート１７と同様に吸収体物品本体１５の前端部から前身頃Ｆ、股下部Ｃ及び後身頃Ｒを経て後端部にわたって、すなわち、前身頃Ｆから後身頃Ｒまでの全長にわたって配置され、前端接合部９５ａと後端接合部９７ａで吸収体物品本体１５の前端部及び後端部と外部側面シート１７と共に結合している。
このキャナルシート２３ｂは、左右一対の起立性サイドガード２１の伸縮性頭部１９から吸収体１３の表面に向かってハンモック状に垂下してキャナル部を形成している。
キャナルシート２３ｂの前身頃Ｆの前方には体液の吸収体１３の表面への出口となる角が丸い横長長方形状の切欠きが前方出口Ｆｅとして設けられ、後身頃Ｒの股下部Ｃに近接する部位には体液の吸収体の表面への出口となる角が丸い正方形状の相対的に大きな切欠きが後方出口Ｒｅとして設けられている。
このように、体液受容キャナルを構成するキャナルシートに、着用者から排出された体液を吸収体に移行させるための出口が設けられているのは、本発明の好適な態様の一つである。
体液受容キャナルＣａは、キャナルシート２３ｂの前方出口Ｆｅと後方出口Ｒｅとの間において、左右方向の中央、かつ、キャナル部の底面に相当する部位で、前後方向に延在する帯状のキャナル接合部８３ｂにより、吸収体１３（より具体的には、トップシート２５）の表面と接合されている。
キャナルシート２３ｂの前方出口Ｆｅから前端にかかる部位は、底面は接合されずに浮上状態を保ち、前部ポケット３８ａを形成する。具体的には、キャナルシート２３ｂの前端部と左右一対の外部側面シート１７とにより、左右一対の外部側面シート１７の内側に存在する体液の前方への溢流を防止する前部ポケット３８ａが構成されている。
キャナルシートの後方出口Ｒｅから後端にかかる部位は、底面は接合されずに浮上状態を保ち、後部ポケット４０ａを形成する。具体的には、キャナルシート２３ｂの後端部と左右一対の外部側面シート１７とにより、左右一対の外部側面シート１７の内側に存在する体液の後方への溢流を防止する後部ポケット４０ａが構成されている。
【００９３】
左右一対の外部側面シート１７においては、それぞれ、上縁部付近において、伸縮性頭部１９に近接して、前後方向に延在する１個のスリットＳｌが設けられ、スリットＳｌの上下が切り離されている。このスリットＳｌは、前後方向において、前身頃Ｆの一部から股下部Ｃを経て後身頃Ｒの一部の範囲に設けられている。スリットＳｌの全長は、外部側面シート１７の全長のほぼ２分の１の長さである。
【００９４】
テンションフリーの緩和状態では、図１８（Ｂ）に示されるように、外部側面シート１７は、伸縮性頭部１９と共に吸収体１３の上方に向かってスリットＳｌの大きな拡がりをともなって起立し、左右一対の伸縮性頭部１９間には排出器を収容し体液の受容口となる頭部開口Ｈｏを形成し、キャナルシート２３ｂは、左右方向の中央部に底部を持つ体液受容キャナルＣａを形成する。
【００９５】
図１８（Ｂ）に示されるキャナル部は、接合状態となっており、テンションフリーの緩和状態では、Ｖ字型に類似した断面形状を有する。この部位の左右一対の伸縮性頭部１９間の内側の間隔は、外部側面シート１７のスリットＳｌによりスリットＳｌの上下が切り離されているため、伸縮性頭部１９が外部側面シート１７のスリットＳｌの下側部分と切り離され、伸縮性頭部１９がフローティング状態になっているので、相対的に小さくなり、キャナル底面部までの深さも深く、また前後及び左右に移動しやすく、着用者の股下部（クロッチ部）にフィットしやすくなる。
【００９６】
図１８に示される吸収体物品１０２の前部及び後部には、それぞれ、左右方向に左右側縁から中央部を被覆するようにキャナルシート２３ｂにより構成される前部ポケット３８ａ及び後部ポケット４０ａが設けられている。前部ポケット３８ａは前端及び左右の側縁が密閉され、後方に向かって開口している。後部ポケット４０ａは後端及び左右の側縁が密閉され、前方に向かって開口している。
【００９７】
このおむつに尿が排出された場合、尿は従来のおむつのように直接吸収体の表面上に排出されるのではなく、頭部開口Ｈｏを通じて体液受容キャナルＣａにそのほぼ全量が収容され、体液受容キャナルＣａを前方及び／又は後方に移動し、前方出口Ｆｅ及び／又は後方出口Ｒｅから吸収体１３の表面上に排出される。基本的に、体液が後部に移動しやすいように設計されているが、着用体位によって移動方向は異なってくる。
例えば、伏臥位の場合は、体液受容キャナルＣａの垂下状態の前方に移動する量が多くなり、前方出口Ｆｅから前部ポケット３８ａに移動し、左右及び前後に拡散していくが、前部ポケット３８ａの前端と両側面は密閉されているので、尿が吸収容量内である限り流れ出すことはない。
また、座位、立位及び仰臥位の場合は、体液受容キャナルＣａを後方に移動する量が多くなり、後方出口Ｒｅから後部ポケット４０ａに移動し、左右及び前後に拡散していくが、後部ポケット４０ａの後端と両側面は密閉されているので、尿が吸収容量内である限り流れ出すことはない。
どのような体位においても狭く、吸収容量の小さい股下部（クロッチ部）には、体液が直接排出されることはない。たとえ、尿が体液受容キャナルＣａから伸縮性頭部１９を越えてあふれ出て左右にこぼれ出しても、スリットＳｌを通じて吸収体１３の表面に移動し、吸収される。たとえ、溢流量が多く吸収体１３の表面を流れるような状態に至った場合であっても、スリットＳｌの存在する位置が高いため、外部側面シート１７によるサイドバンク効果が発揮され、尿が外部へ漏れ出だすことが防止される。このように、この態様のおむつは、股下部からの尿の横漏れが極めて起こりにくい構造になっている。
また、この態様のおむつでは、吸収体１３の表面と着用者の肌との間にはキャナルシート２３ｂが介在しているため、キャナルシート２３ｂが、着用者と、着用者から排出され吸収体１３に吸収された尿との接触を防ぐバリヤーの役割を果たし、肌の湿潤や汚染が大幅に抑制される。
【００９８】
このおむつに便が排出されると、便は、後部の外部側面シート１７にスリットＳｌがなく、比較的広くなっている伸縮性頭部１９間の頭部開口Ｈｏから収容され、体液受容キャナルＣａの後端部から吸収体１３の表面に直接移動する。便が固形である場合は、そこにとどまるが、流動性が高い場合は、左右及び前後に移動する。後部には後部ポケット４０ａが存在し、後部ポケット４０ａの後端と両側面は密閉されているので、便が収容容量内である限り漏れ出すことはない。
【００９９】
図１９は、本発明の吸収体物品の実施態様の更に別の例を示す模式図である。図１９（Ａ）は、子供用テープ型おむつ（Ｍサイズ）の態様である吸収体物品に応力を加えて前後方向及び左右方向に引っ張って展開し、ほぼ平面状にした状態を模式的に示した展開平面図である。図１９（Ｂ）は、吸収体物品に応力を加えない場合の（弛緩状態の）図１９（Ａ）中のＸＩＸ−ＸＩＸ線に沿った横端面図である。
【０１００】
図１９に示される吸収体物品１０３は、基本的に、図１７に示される吸収体物品１０１と同様であるが、キャナルシートの配置状態並びに前部ポケット及び後部ポケットの形成状態が異なる。
キャナルシート２３ｃは、吸収体１３の左右方向の中央部に、前後方向に外部側面シート１７と同様に吸収体物品本体１５の前端から後端の全長にわたって配置され、前端接合部９５ｂと後端接合部９７ｂで吸収体物品本体１５の前端及び後端と外部側面シート１７と共に接合されている。
このキャナルシート２３ｃは、左右一対の起立性サイドガード２１の伸縮性頭部１９から吸収体１３の表面に向かってハンモック状に垂下してキャナル部を形成している。
キャナルシート２３ｃの前身頃Ｆの前方には体液の吸収体１３の表面への出口となる前後方向に伸びる短い、多数のスリットが前方スリット群Ｓｌｆとして設けられ、前方スリット群Ｓｌｆの前端にはキャナル部を左右に横切るように半月状のスリットＳｌが設けられ、これらにより前方出口Ｆｅが形成され、後身頃Ｒの股下部Ｃに近接する部位には体液の吸収体１３の表面への出口となる前後方向に伸びる短い、多数のスリットが後方スリット群Ｓｌｒとして設けられ、後方スリット群Ｓｌｒの後端にはキャナル部を左右に横切るように半月状のスリットＳｌが設けられ、これらにより後方出口Ｒｅが形成されている。
体液受容キャナルＣａは、キャナルシート２３ｃの前方の半月状のスリットＳｌと後方の半月状のスリットＳｌとの間において、左右方向の中央、かつ、キャナル部の底面に相当する部位で、前後方向に延在する帯状のキャナル接合部８３ｃにより、吸収体１３の表面とが接合されている。キャナルシート２３ｃの前方出口Ｆｅから前端にかかる部位は、底面は接合されずに浮上状態を保ち、前部ポケット３８ｂを形成する。キャナルシートの後方出口Ｒｅから後端にかかる部位は、底面は接合されずに浮上状態を保ち、後部ポケット４０ｂを形成する。
左右一対の外部側面シート１７は、それぞれ、上縁部付近において、伸縮性頭部１９に近接して、前後方向に延在する多数個（図１９（Ａ）においては１１個）の短いスリットの組合せからなる側面開口Ｓｏが設けられ、スリットの上下が切り離されている。このスリットの組合せからなる側面開口Ｓｏは、前後方向において、前身頃Ｆの一部から股下部Ｃを経て後身頃Ｒの一部の範囲に設けられている。スリットの全長は、外部側面シート１７の全長の２分の１を超える長さである。
【０１０１】
テンションフリーの緩和状態では、図１９（Ｂ）に示されるように、外部側面シート１７は、伸縮性頭部１９と共に吸収体の上方に向かって複数のスリットがネット状に拡がりながら起立し、左右一対の伸縮性頭部１９間には排出器を収容し体液の受容口となる頭部開口Ｈｏを形成し、キャナルシート２３ｃは、左右方向の中央部に底部を持つ体液受容キャナルＣａを形成する。
【０１０２】
図１９（Ｂ）に示されるキャナル部は、接合状態となっており、テンションフリーの緩和状態では、Ｖ字型に類似した断面形状を有する。この部位の左右一対の伸縮性頭部１９間の内側の間隔は、外部側面シート１７の複数のスリットの上下が切り離されているため、伸縮性頭部１９が外部側面シート１７の複数のスリットの下側部分と切り離され、伸縮性頭部がフローティング状態になっているので、相対的に小さくなり、キャナル部の底面までの深さも深く、また前後及び左右に移動しやすく、着用者の股下部（クロッチ部）にフィットしやすくなる。
【０１０３】
図１９に示される吸収体物品１０３の前部及び後部には、それぞれ、左右方向に左右側縁から中央部を被覆するようにキャナルシート２３ｃにより構成される前部ポケット３８ｂ及び後部ポケット４０ｂが設けられている。前部ポケット３８ｂは前端及び左右の側縁が密閉され、後方に向かって開口している。後部ポケット４０ｂは後端及び左右の側縁が密閉され、前方に向かって開口している。
【０１０４】
このおむつに尿が排出された場合、尿は従来のおむつのように直接吸収体の表面上に排出されるのではなく、頭部開口Ｈｏを通じて体液受容キャナルＣａにそのほぼ全量が収容され、体液受容キャナルＣａを前方及び／又は後方に移動し、前方出口Ｆｅ及び／又は後方出口Ｒｅから吸収体１３の表面上に排出される。基本的に、体液が後部に移動しやすいように設計されているが、着用体位によって移動方向は異なってくる。
例えば、伏臥位の場合は、体液受容キャナルＣａの垂下状態の前方に移動する量が多くなり、前方出口Ｆｅから前部ポケット３８ｂに移動し、左右及び前後に拡散していくが、前部ポケット３８ｂの前端と両側面は密閉されているので、尿が吸収容量内である限り流れ出すことはない。
また、座位、立位及び仰臥位の場合は、体液受容キャナルＣａを後方に移動する量が多くなり、後方出口Ｒｅから後部ポケット４０ｂに移動し、左右及び前後に拡散していくが、後部ポケット４０ｂの後端と両側面は密閉されているので、尿が吸収容量内である限り流れ出すことはない。
どのような体位においても狭く、吸収容量の小さい股下部（クロッチ部）には、体液が直接排出されることはない。たとえ、尿が体液受容キャナルＣａから伸縮性頭部１９を越えてあふれ出て左右にこぼれ出しても、スリットＳｌを通じて吸収体１３の表面に移動し、吸収される。たとえ、溢流量が多く吸収体１３の表面を流れるような状態に至った場合であっても、スリットＳｌの存在する位置が高いため、外部側面シート１７によるサイドバンク効果が発揮され、尿が外部へ漏れ出だすことが防止される。このように、この態様のおむつは、股下部からの尿の横漏れが極めて起こりにくい構造になっている。
また、この態様のおむつでは、吸収体１３の表面と着用者の肌との間にはキャナルシート２３ｂが介在しているため、キャナルシート２３ｂが、着用者と、着用者から排出され吸収体１３に吸収された尿との接触を防ぐバリヤーの役割を果たし、肌の湿潤や汚染が大幅に抑制される。
【０１０５】
このおむつに便が排出されると、便は、後部の外部側面シート１７にスリットＳｌがなく、比較的広くなっている伸縮性頭部１９間の頭部開口Ｈｏから収容され、体液受容キャナルＣａの後方スリット群Ｓｌｒが存在する部分付近に保持される。便が固形である場合は、そこにとどまり、又は体液受容キャナルＣａの中を前方に移動する。便が流動性が高い場合は、固形分の大部分はそこにとどまるが、液状成分は後方スリット群Ｓｌｒ及び／又は後方の半月状のスリットＳｌを通過し、左右及び前後に移動する。後部には後部ポケット４０ｂが存在し、後部ポケット４０ｂの後端と両側面は密閉されているので、２、３回排便があっても、便が収容容量内である限り漏れ出すことはない。
【０１０６】
図２０は、本発明の吸収体物品の実施態様の更に別の例を示す模式図である。図２０（Ａ）は、子供用テープ型おむつ（Ｍサイズ）の態様である吸収体物品に応力を加えて前後方向及び左右方向に引っ張って展開し、ほぼ平面状にした状態を模式的に示した展開平面図である。図２０（Ｂ）は、前記の状態の図２０（Ａ）中のＸＸ−ＸＸ線に沿った横端面図である。図２０（Ｃ）は、吸収体物品に応力を加えない場合の（弛緩状態の）図２０（Ａ）中のＸＸ−ＸＸ線に沿った横端面図である。
【０１０７】
図２０に示される吸収体物品１０４は、基本的に、シート状の防漏体１１と、防漏体１１の上部に少なくとも一層配置された体液を吸収しうる吸収体１３とを有する吸収体物品本体１５と、吸収体物品本体１５の前端部から後端部にわたって配置され、前端、後端及び側縁が吸収体物品本体１５に固定され、前記側縁の固定された位置から吸収体１３の上方に向かって起立する左右一対の外部側面シート１７ａを有する、起立性サイドガード２１ａと、吸収体物品本体１５の少なくとも前身頃Ｆの後方の一部から、股下部Ｃを経て、後身頃Ｒの前方の一部にわたって配置される、左右一対の伸縮性頭部１９ａと、左右一対の伸縮性頭部１９ａと結合し、左右一対の伸縮性頭部１９ａから吸収体１３の表面に向かってハンモック状に垂下し、その内面により体液受容キャナルＣａを形成する、キャナルシート２３ｄとを有する、キャナル部材２７とを具備し、起立性サイドガード２１ａの内側とキャナルシート２３ｄとが連結する部分を有する。図２０に示される吸収体物品１０４は、左右一対の外部側面シート１９ａがそれぞれ結合する、左右一対の第２伸縮性頭部３１を更に有する。各種部材同士の結合は、例えば、ホットメルト接着剤により行うことができる。なお、図１４等に示される吸収体物品１００と同じ符号（添え字のアルファベットが異なるものを含む。）が付された部材については、吸収体物品１００におけるのと同様である。
【０１０８】
キャナルシート２３ｄは、図７に示される吸収体物品及び図１１（Ｄ）に示される態様を用いて説明したように、キャナル部となる中央部位と、左右一対の伸縮性頭部１９ａを被覆し、さらに左右に延展されそれぞれ垂下部２９を構成する。
この垂下部２９とオーバーラップして重なるように存在する、左右一対の伸縮性頭部１９ａを被覆した外部側面シート１７ａがおむつ本体の前後方向に前端から後端にわたって配置され、起立性サイドガード２７を形成する。
この外部側面シート１７ａの前端及び後端と下端とは、おむつ本体と接合・固定されるが、垂下部２９の外側面と、外部側面シート１７ａの内側面とは接合されずに、互いに前後及び左右に可動性を持つ状態に維持されている。外部側面シート１７ａの下端は、左右方向において、おむつ本体の左右側縁で防漏体１１を被覆するトップシート２５の表面とホットメルト接着剤により接合される。
【０１０９】
このように図２０に示される吸収体物品１０４は、並列した２種類の伸縮性頭部を持っている。
キャナルシート２３ｄは、中央部では、左右一対の伸縮性頭部１９ａから吸収体１３の表面に向かってハンモック状に垂下してキャナル部を形成している。
キャナルシート２３ｄの前身頃Ｆの前方には体液の吸収体１３の表面への出口となる前後方向に伸びる短い、多数のスリットが前方スリット群Ｓｌｆとして設けられ、前方スリット群Ｓｌｆの前端にはキャナル部を左右に横切るように半月状のスリットＳｌが設けられ、これらにより前方出口Ｆｅが形成され、後身頃Ｒの股下部Ｃに近接する部位には体液の吸収体１３の表面への出口となる前後方向に伸びる短い、多数のスリットが後方スリット群Ｓｌｒとして設けられ、後方スリット群Ｓｌｒの後端にはキャナル部を左右に横切るように半月状のスリットＳｌが設けられ、これらにより後方出口Ｒｅが形成されている。
体液受容キャナルＣａは、キャナルシート２３ｄの前方の半月状のスリットＳｌと後方の半月状のスリットＳｌとの間において、左右方向の中央、かつ、キャナル部の底面に相当する部位で、前後方向に延在する帯状のキャナル接合部８３ｄにより、吸収体１３の表面とが接合されている。キャナルシート２３ｄの前方出口Ｆｅから前端にかかる部位は、底面は接合されずに浮上状態を保ち、前部ポケット３８ｃを形成する。キャナルシート２３ｄの後方出口Ｒｅから後端にかかる部位は、底面は接合されずに浮上状態を保ち、後部ポケット４０ｃを形成する。
左右一対の外部側面シート１７ａは、それぞれ、上縁部付近において、キャナルシート２３ｄの垂下部２９と重なり合うようにして存在する。
【０１１０】
テンションフリーの緩和状態では、図２０（Ｃ）に示されるように、キャナルシート２３ｄと伸縮性頭部１９ａとを有するキャナル部材２７は、吸収体１３の上方に向かって起立し、左右一対の伸縮性頭部１９ａ間には排出器を収容し体液の受容口となる頭部開口Ｈｏと、中央部に底部を持つキャナル部を形成し、外部側面シート１７ａは、キャナルシート２３ｄの垂下部２９の外側に沿うように立ち上がる。
キャナル部の底面は吸収体１３の表面に接合されＶ字状断面形状を呈する。この部位は外部側面シート１７ａには前後の一部を除いて接合されていないため、垂下部２９と外部側面シート１７ａとの間には、前後方向に、外部側面シート１７ａの全長に対して２／３を超える長さの連続した間隙Ｇが存在し、キャナル部材２７における左右一対の伸縮性頭部１９ａは前身頃Ｆから股下部Ｃを経て後身頃Ｒにわたってフローティング状態になり、特に、股下部Ｃでは左右一対の伸縮性頭部１９ａ間の間隔は相対的に狭くなり、前後及び左右に動きやすく、着用者の股下部（クロッチ部）にフィットしやすくなる。
【０１１１】
図２０に示される吸収体物品１０４は、前部及び後部には、それぞれ、左右方向に左右側縁から中央部を被覆するようにキャナルシート２３ｄにより構成される前部ポケット３８ｃ及び後部ポケット４０ｃが設けられている。前部ポケットは３８ｃ前端及び左右の側縁が密閉され、後方に向かって開口している。後部ポケット４０ｃは後端及び左右の側縁が密閉され、前方に向かって開口している。後部の左右側縁には着脱を可能にする着脱部材（結束具）４２を備えている。
【０１１２】
このおむつに尿が排出された場合、尿は従来のおむつのように直接吸収体の表面上に排出されるのではなく、頭部開口Ｈｏを通じて体液受容キャナルＣａにそのほぼ全量が収容され、体液受容キャナルＣａを前方及び／又は後方に移動し、前方出口Ｆｅ及び／又は後方出口Ｒｅから吸収体１３の表面上に排出される。基本的に、体液が後部に移動しやすいように設計されているが、着用体位によって移動方向は異なってくる。
例えば、伏臥位の場合は、体液受容キャナルＣａの垂下状態の前方に移動する量が多くなり、前方出口Ｆｅから前部ポケット３８ｃに移動し、左右及び前後に拡散していくが、前部ポケット３８ｃの前端と両側面は密閉されているので、尿が吸収容量内である限り流れ出すことはない。
また、座位、立位及び仰臥位の場合は、体液受容キャナルＣａを後方に移動する量が多くなり、後方出口Ｒｅから後部ポケット４０ｃに移動し、左右及び前後に拡散していくが、後部ポケット４０ｃの後端と両側面は密閉されているので、尿が吸収容量内である限り流れ出すことはない。
どのような体位においても狭く、吸収容量の小さい股下部（クロッチ部）には、体液が直接排出されることはない。たとえ、尿が体液受容キャナルＣａから伸縮性頭部１９ａを越えてあふれ出て左右にこぼれ出しても、スリットＳｌを通じて吸収体１３の表面に移動し、吸収される。たとえ、溢流量が多く吸収体１３の表面を流れるような状態に至った場合であっても、スリットＳｌの存在する位置が高いため、外部側面シート１７ａによるサイドバンク効果が発揮され、尿が外部へ漏れ出だすことが防止される。このように、この態様のおむつは、股下部からの尿の横漏れが極めて起こりにくい構造になっている。
また、この態様のおむつでは、吸収体１３の表面と着用者の肌との間にはキャナルシート２３ｄが介在しているため、キャナルシート２３ｄが、着用者と、着用者から排出され吸収体１３に吸収された尿との接触を防ぐバリヤーの役割を果たし、肌の湿潤や汚染が大幅に抑制される。
【０１１３】
このおむつに便が排出されると、便は、後部の外部側面シート１７ａにスリットＳｌがなく、比較的広くなっている伸縮性頭部１９ａ間の頭部開口Ｈｏから収容され、体液受容キャナルＣａの後方スリット群Ｓｌｒが存在する部分付近に保持される。便が固形である場合は、そこにとどまり、又は体液受容キャナルＣａの中を前方に移動する。便が流動性が高い場合は、固形分の大部分はそこにとどまるが、液状成分は後方スリット群Ｓｌｒ及び／又は後方の半月状のスリットＳｌを通過し、左右及び前後に移動する。後部には後部ポケット４０ｃが存在し、後部ポケット４０ｃの後端と両側面は密閉されているので、２、３回排便があっても、便が収容容量内である限り漏れ出すことはない。
【０１１４】
図２１は、本発明の吸収体物品の実施態様の更に別の例を示す模式図である。図２１（Ａ）は、大人用テープ型おむつの態様である吸収体物品に応力を加えて前後方向及び左右方向に引っ張って展開し、ほぼ平面状にした状態を模式的に示した展開平面図である。図２１（Ｂ）は、吸収体物品に応力を加えない場合の（弛緩状態の）図２１（Ａ）中のＸＸＩＢ−ＸＸＩＢ線に沿った横端面図である。図２１（Ｃ）は、吸収体物品に応力を加えない場合の（弛緩状態の）図２１（Ａ）中のＸＸＩＣ−ＸＸＩＣ線に沿った横端面図である。
【０１１５】
図２１に示される吸収体物品１０５は、基本的に、シート状の防漏体１１と、防漏体１１の上部に少なくとも一層配置された体液を吸収しうる吸収体１３とを有する吸収体物品本体１５と、吸収体物品本体１５の前端部から後端部にわたって配置され、前端、後端及び側縁が吸収体物品本体１５に固定され、前記側縁の固定された位置から吸収体１３の上方に向かって起立する左右一対の外部側面シート１７ｂと、起立した外部側面シート１７ｂの頂点付近において、左右一対の外部側面シート１７ｂがそれぞれ結合する左右一対の伸縮性頭部１９ｂとを有する、起立性サイドガード２１ｂと、吸収体物品本体１５の少なくとも前身頃Fの後方の一部から、股下部Ｃを経て、後身頃Ｒの前方の一部にわたって配置され、起立性サイドガード２１ｂに連結されて、左右一対の伸縮性頭部１９ｂから吸収体１３の表面に向かってハンモック状に垂下し、その内面により体液受容キャナルＣａを形成する、キャナルシート２３ｅとを具備し、更に、キャナルシート２３ｅの下側に、前後方向に延在し、両縁部がキャナルシート２３ｅに結合し、その内面により体液の通路を形成する、通路シート３３を具備する。また、図２１に示される吸収体物品１０５は、外部に体液を排出するための外部排出コネクター５０を有している。さらに、吸収体物品１０５においては、後部の左右側縁には着脱を可能にする着脱部材（結束具）４２ａを備えている。また、防漏体１１の前端付近の下面には、着脱部材４２ａと互いに着脱自在となるように、着脱部材（図示せず）が設けられている。これらの着脱部材は、例えば、各種面ファスナーにより構成することができる。なお、図１４等に示される吸収体物品１００と同じ符号（添え字のアルファベットが異なるものを含む。）が付された部材については、吸収体物品１００におけるのと同様である。
【０１１６】
図２１に示される吸収体物品１０５は、例えば、通気性微細孔を持つＰＥフィルムとＳＢ不織布とを積層したシート状の防漏体１１と、防漏体１１の上部に配置された粉砕パルプマットを主成分として構成された、吸収量は少ないがクッション性のある１層の吸収体１３を有し、吸収体１３の表面とその側面に位置する防漏体１１の表面はＰＥ／ＰＰ繊維製のＳＢ不織布からなるトップシート２５により被覆され、吸収体物品本体（おむつ本体）１５が構成されている。
おむつ本体の前後方向に前端から後端にわたって配置され、その前端及び後端と側縁とが固定された左右一対の外部側面シート１７ｂを有し、その外部側面シート１７ｂの下端が、左右方向においておむつ本体の左右の側縁で防漏体１１を被覆するトップシート２５の表面とホットメルト接着剤により外部側面接合部９３で接合され、さらにその外部側面シート１７ｂが伸縮性頭部１９ｂを持ち、下端接合位置から吸収体１３の上方に向かって起立する起立性サイドガード２１ｂとなる。
この起立性サイドガード２１ｂの内面と、左右側縁を折り畳んだキャナルシート２３ｅの上縁とが、ホットメルト接着剤により内面接合部８５で接合されている。連結されたキャナルシート２３ｅは、吸収体１３の左右方向の中央部に、前後方向に外部側面シート１７ｂと同様に前端から後端の全長にわたって配置され、前端接合部９５ｄ及び後端接合部９７ｄで、吸収体物品本体１５の前端及び後端と外部側面シート１７ｂと共に接合されている。
このキャナルシート２３ｅは、左右一対の起立性サイドガード２１ｂの伸縮性頭部１９ｂから吸収体１３の表面に向かってハンモック状に垂下して、キャナル部を形成している。
この例では外部側面シート１７ｂには、例えば、ＰＰ製のＳＭＳ不織布（例えば、目付量１５ｇ／ｍ2）を使用し、キャナルシート２３ｅには、例えば、親水化した液透過性のＰＥ／ＰＥＴ繊維製のエアスルー不織布（例えば、目付量２０ｇ／ｍ2）が用いられる。
【０１１７】
この構造は基本的に図１８に示される吸収体物品１０３と同様であるが、キャナル部の底面にさらに通路シート３３が付加され、２重底構造を有している点で異なる。この通路シート３３を有する構造は、図９に示される吸収体物品及び図１２（Ｂ）に示される態様で説明したものである。キャナルシート２３ｅの下側の面は、前身頃Ｆから股下部Ｃにかけて及び後身頃Ｒから股下部Ｃにかけて、通路シート３３の上側の面と接合部９９で接合されているが、本発明は、これに限定されず、キャナルシートの下側の面と通路シートの上側の面とが結合していなくてもよい。
図２１に示される態様においては、通路シート３３は前後方向には股下部Ｃを中心に前身頃Ｆ及び後身頃Ｒにかけて配置され、通路シート３３は、幅広であり、左右方向において、伸縮性頭部１９ｂの付近まで配置されている。通路シート３３は、左右側縁が折り返されて、左右の接合部８９において、キャナルシート２３ｅに接合されている。通路シート３３と吸収体１３の表面とは左右方向の左右２箇所の通路接合部９１において、通路シート３３の前端と後端を残して線状にホットメルトにより接合されている。通路シート３３の前端縁と後端縁は左右方向の全長がキャナルシート２３ｅに接合されている。
通路シート３３としては、例えば、界面活性剤で親水化処理をしたＰＰ製のＳＢ不織布（例えば、目付量１３ｇ／ｍ2）をラミネートしたＰＥフィルム１５μｍが、ＰＥフィルム側を吸収体１３の側に向けて用いられる。
【０１１８】
通路シート３３の底面の股下部Ｃに相当する部分の左右方向の中央部には楕円形の切欠きが設けられ、その切欠きには、扁平状の中空の合成ゴムチューブが結合された多孔性スポンジ製の外部排出コネクター５０が挿入されている。スポンジ製の外部排出コネクター５０は緩衝性と共に柔軟性に富み、体液漏れの生じないように切欠きに挿入され、密着している。合成ゴムチューブはおむつの外側に導かれ、延長されて貯留タンクの入口、又はポンプの吸引口に接続される。体液貯留用のタンクは、防漏性を持つ袋体を用いることができ、通気口を持ち、落差をもって配置される。
【０１１９】
このおむつに尿が排出された場合、尿は従来のおむつのように直接吸収体の表面上に排出されるのではなく、頭部開口Ｈｏを通じて体液受容キャナルＣａにそのほぼ全量が収容され、体液受容キャナルＣａを前方及び／又は後方に移動し、液透過性のキャナルシート２３ｅを透過して通路シート３３によって構成された下側の体液の通路に移動する。
体液の通路は、通路シート３３が液不透過性であるため、体液受容キャナルＣａから移動した尿は、吸収体１３の表面には移動せずそのまま広い空隙を持つ通路内に一時的にとどまり、低い位置に設けられた外部排出コネクター５０の周辺に集まり、気液がほぼ完全に分離されパイプ内に移動していくので、パイプの閉塞も起きることなく、吸引ポンプを使用しても負荷が極めて少なくて済むという利点を有する。
第１の通路である体液受容キャナルＣａは、尿の収容能力及び透過性を十分に有するため、液残りはほとんど生じない。着用体位等により極端に前部又は後部に尿が集中する場合には、尿は、第２の通路である体液の通路が接合されていない前身頃Ｆの前部又は後身頃Ｒの後部から吸収体１３の表面に直接移行するので外へ漏れ出すことはない。
【０１２０】
この態様のような尿をおむつの外部に誘導して捕集する体液処理商品としては、通常の吸収体を持つテープ型おむつを利用しその後背部にコネクターを取り付けてポンプで吸引する方法（例えば、ユニ・チャームヒューマンケア社のヒューマニー）があるが、このタイプは着用者への肌への接触部位が広くなり、肌が湿潤しやすいし、また気液の分離が難しく、消費エネルギーが大きいという難点がある。本発明者らが提案した特開２００７−３２５７１７号公報に記載されているように、おむつの前部に尿の導出部を取り付けた方法もあるが、このタイプは尿のシール性に難がある。
また、この態様のおむつでは、吸収体１３の表面と着用者の肌との間にはキャナルシート２３ｅが介在しているため、キャナルシート２３ｅが、着用者と、着用者から排出され吸収体１３に吸収された尿との接触を防ぐバリヤーの役割を果たし、肌の湿潤や汚染が大幅に抑制される。
【０１２１】
このおむつに便が排出されると、便は、後部の比較的広くなった伸縮性頭部１９ｂ間の頭部開口Ｈｏから収容され、体液受容キャナルＣａの後身頃Ｒ部分に保持される。便が固形である場合は、そこにとどまる。便が流動性が高い場合は、固形分の大部分はそこにとどまるが、液状成分はキャナルシートを透過し、キャナルシートの下側の体液の通路に移動し、尿と同様に処理される。便の固形分は体液の通路の前方及び／又は後方に移動することができるので、便が収容容量内である限り漏れ出すことはない。
【０１２２】
以上、本発明の吸収体物品を図示の各実施形態に基づいて説明したが、本発明は、これらに限定されるものではなく、例えば、各部の構成は、同様の機能を発揮しうる任意の構成と置換することができる。
また、各実施形態における各部の構成を任意に組み合わせて、別の実施形態とすることもできる。
【０１２３】
本発明の吸収体物品は、テープ型、パンツ型等の紙おむつ（子供用及び大人用）、失禁用品、トレーニングパンツ等に好適に用いられる。
【符号の説明】
【０１２４】
１、１ａ、１ｂ、１ｃ、１ｄ、１ｅ、１ｆ、１ｇ、１ｈ、１００、１０１、１０２、１０３、１０４、１０５  吸収体物品
１０、１１  防漏体
１２、１３  吸収体
１４、１５  吸収体物品本体
１６、１６ａ、１６ｂ、１６ｃ、１６ｄ、１６ｅ、１７、１７ａ、１７ｂ  外部側面シート
１８、１９、１９ａ、１９ｂ  伸縮性頭部
２０、２０ａ、２０ｂ、２０ｃ、２０ｄ、２０ｅ、２１、２１ａ、２１ｂ  起立性サイドガード
２２、２２ａ、２２ｂ、２２ｃ、２２ｄ、２３，２３ａ、２３ｂ、２３ｃ、２３ｄ、２３ｅ  キャナルシート
２４、２５  トップシート
２６、２６ａ、２７  キャナル部材
２８、２９  垂下部
３０、３１  第２伸縮性頭部
３２、３２ａ、３３  通路シート
３４、３４ａ  オーバーラップ部
３６  アウターレッグギャザー（ＯＬＧ）
３８、３８ａ、３８ｂ、３８ｃ  前部ポケット
４０、４０ａ、４０ｂ、４０ｃ  後部ポケット
４２、４２ａ  着脱部材
５０  外部排出コネクター
８０  側縁接合部
８２、８２ａ、８２ｂ、８２ｃ、８２ｄ、８３、８３ａ、８３ｂ、８３ｃ、８３ｄ  キャナル接合部
８４、８５  内面接合部
８６、８８、８８ａ、８９、９９  接合部
９０、９０ａ、９１  通路接合部
９２、９３  外部側面接合部
９４、９５、９５ａ、９５ｂ、９５ｃ、９５ｄ  前端接合部
９６、９７、９７ａ、９７ｂ、９７ｃ、９７ｄ  後端接合部
Ｃ  股下部
Ｃａ  体液受容キャナル
Ｃｏ  切欠き
Ｆ  前身頃
Ｆｅ  前方出口
Ｇ  間隙
Ｈｏ  頭部開口
Ｐ  第１の不織布
Ｑ  第２の不織布
Ｒ  後身頃
Ｒｅ  後方出口
Ｓｌ  スリット
Ｓｌｆ  前方スリット群
Ｓｌｒ  後方スリット群
Ｓｏ  側面開口
【図１】
2014166227.tif 000003
【図２】
2014166227.tif 000004
【図３】
2014166227.tif 000005
【図４】
2014166227.tif 000006
【図５】
2014166227.tif 000007
【図６】
2014166227.tif 000008
【図７】
2014166227.tif 000009
【図８】
2014166227.tif 000010
【図９】
2014166227.tif 000011
【図１０】
2014166227.tif 000012
【図１１】
2014166227.tif 000013
【図１２】
2014166227.tif 000014
【図１３】
2014166227.tif 000015
【図１４】
2014166227.tif 000016
【図１５】
2014166227.tif 000017
【図１６】
2014166227.tif 000018
【図１７】
2014166227.tif 000019
【図１８】
2014166227.tif 000020
【図１９】
2014166227.tif 000021
【図２０】
2014166227.tif 000022
【図２１】
2014166227.tif 000023
【図２２】
2014166227.tif 000024